(57)【要約】【課題】ビームフォーミングが行われる場合にリファレンス信号の送信に関連するオーバーヘッドを抑える。【解決手段】指向性ビームによる送信用に当該指向性ビームに割り当てられたアンテナポートに関するアンテナ関連情報を取得する取得部と、上記アンテナ関連情報を端末装置に通知する通知部と、を備える装置が提供される。【選択図】図１１
2016152315.tif 000002
【特許請求の範囲】
【請求項１】
指向性ビームによる送信用に当該指向性ビームに割り当てられたアンテナポートに関するアンテナ関連情報を取得する取得部と、
前記アンテナ関連情報を端末装置に通知する通知部と、
を備える装置。
【請求項２】
前記指向性ビームは、前記端末装置へ信号を送信するための指向性ビームである、請求項１に記載の装置。
【請求項３】
前記取得部は、他の指向性ビームによる送信用に当該他の指向性ビームに割り当てられたアンテナポートに関する他のアンテナ関連情報を取得し、
前記通知部は、前記他のアンテナ関連情報を前記端末装置にさらに通知する、
請求項２に記載の装置。
【請求項４】
前記取得部は、あらかじめ定義されている複数の指向性ビームの各々についての前記アンテナ関連情報を取得し、
前記通知部は、前記複数の指向性ビームの各々についての前記アンテナ関連情報を前記端末装置に通知する、請求項１に記載の装置。
【請求項５】
前記アンテナ関連情報は、前記アンテナポートを示す情報を含む、請求項１に記載の装置。
【請求項６】
前記アンテナポートを使用してリファレンス信号を送信するためのリソースは、あらかじめ定義されている、請求項１に記載の装置。
【請求項７】
前記アンテナ関連情報は、前記アンテナポートを使用してリファレンス信号を送信するためのリソースを示す情報を含む、請求項１に記載の装置。
【請求項８】
前記指向性ビームは、あらかじめ定義されている複数の指向性ビームに含まれる、請求項１に記載の装置。
【請求項９】
前記複数の指向性ビームは、同一のアンテナポートを割り当てられる２つ以上の指向性ビームを含む、請求項８に記載の装置。
【請求項１０】
前記２つ以上の指向性ビームは、互いに干渉しない指向性ビームである、請求項９に記載の装置。
【請求項１１】
前記複数の指向性ビームは、異なるアンテナポートを割り当てられる２つ以上の指向性ビームのセットを含む、請求項８に記載の装置。
【請求項１２】
前記２つ以上の指向性ビームの前記セットは、互いに干渉する指向性ビームのセットである、請求項１１に記載の装置。
【請求項１３】
前記複数の指向性ビームは、第１の指向性ビーム、第２の指向性ビーム及び第３の指向性ビームを含み、
前記第１の指向性ビームは、前記第２の指向性ビーム及び前記第３の指向性ビームと隣接し、
前記第２の指向性ビーム及び前記第３の指向性ビームは、互いに隣接せず、
前記第１の指向性ビームは、第１のアンテナポートを割り当てられる指向性ビームであり、
前記第２の指向性ビーム及び前記第３の指向性ビームは、前記第１のアンテナポートとは異なる第２のアンテナポートを割り当てられる指向性ビームである、
請求項８に記載の装置。
【請求項１４】
前記第１の指向性ビームは、水平方向及び垂直方向のうちの一方で、前記第２の指向性ビーム及び前記第３の指向性ビームと隣接し、
前記複数の指向性ビームは、前記第１の指向性ビームが水平方向及び垂直方向のうちの他方で隣接する第４の指向性ビーム及び第５の指向性ビームを含み、
前記第４の指向性ビーム及び前記第５の指向性ビームは、互いに隣接せず、
前記第４の指向性ビーム及び前記第５の指向性ビームは、前記第２のアンテナポートを割り当てられる指向性ビームである、
請求項１３に記載の装置。
【請求項１５】
前記複数の指向性ビームは、第１の数の連続する指向性ビームを含み、
前記第１の数の前記連続する指向性ビームは、前記第１の数の異なるアンテナポートをそれぞれ割り当てられる指向性ビームである、
請求項８に記載の装置。
【請求項１６】
前記複数の指向性ビームは、前記第１の数の前記連続する指向性ビームとは異なる、第２の数の連続する指向性ビームを含み、
前記第２の数の前記連続する指向性ビームは、前記第２の数の異なるアンテナポートをそれぞれ割り当てられる指向性ビームである、
請求項１５に記載の装置。
【請求項１７】
あらかじめ定義されている複数の指向性ビームの各々にアンテナポートを動的に又は準静的に割り当てる割当部、をさらに備える、請求項８に記載の装置。
【請求項１８】
前記割当部は、端末装置により報告される干渉情報に基づいて、前記複数の指向性ビームの各々にアンテナポートを割り当てる、請求項１７に記載の装置。
【請求項１９】
前記アンテナポートは、１つ以上の物理的なアンテナ又はアンテナ素子に対応する仮想的なアンテナである、請求項１に記載の装置。
【請求項２０】
指向性ビームによる送信用に当該指向性ビームに割り当てられたアンテナポートに関するアンテナ関連情報を取得する取得部と、
前記アンテナ関連情報に基づいて受信処理を行う受信処理部と、
を備える装置。
【発明の詳細な説明】
【技術分野】
【０００１】
本開示は、装置に関する。
【背景技術】
【０００２】
現在、３ＧＰＰ（Third  Generation  Partnership  Project）では、爆発的に増加するトラフィックを収容するために、セルラーシステムの容量を向上するための様々な技術が検討されている。将来、現在の１０００倍程度の容量が必要とも言われている。ＭＵ−ＭＩＭＯ（Multi-User  Multiple-Input  Multiple-Output）及びＣｏＭＰ（Coordinated  Multipoint）などの技術では、セルラーシステムの容量は数倍程度しか増加しないと考えられる。そのため、画期的な手法が求められている。【０００３】
例えば、セルラーシステムの容量を大幅に増加させるための手法として、多数のアンテナ素子（例えば、１００個程度のアンテナ素子）を含む指向性アンテナを使用して基地局がビームフォーミングを行うことが考えられる。このような技術は、ラージスケール（Large-Scale）ＭＩＭＯ、マッシブ（Massive）ＭＩＭＯ、又はＦＤ（Free  Dimension）−ＭＩＭＯと呼ばれる技術の一形態である。このようなビームフォーミングによれば、ビームの半値幅は狭くなる。即ち、鋭いビームが形成される。また、上記多数のアンテナ素子を平面上に配置することにより、所望の３次元方向へのビームを形成することも可能になる。【０００４】
例えば、特許文献１〜３には、３次元方向への指向性ビームが使用される場合に適用される技術が開示されている。
【先行技術文献】
【特許文献】
【０００５】
【特許文献１】特開２０１４−２０４３０５号公報
【特許文献２】特開２０１４−５３８１１号公報
【特許文献３】特開２０１４−６４２９４号公報
【発明の概要】
【発明が解決しようとする課題】
【０００６】
ラージスケールＭＩＭＯ（換言すると、マッシブＭＩＭＯ又はＦＤ−ＭＩＭＯ）が採用される場合には、例えば、多数のアンテナ素子（例えば、６４から数百程度のアンテナ素子）を有するアンテナが使用される。このようなアンテナ素子が増加すると、アンテナポートの数も爆発的に増加することが想定される。そのため、多数のアンテナポートを使用したリファレンス信号（例えば、ＤＭＲＳ）の送信のために、多数の直交するリソースが用意され、その結果、リファレンス信号の送信に関連するオーバーヘッドが大きくなり得る。このようなアンテナポート及びオーバーヘッドの増加は、ビームフォーミングが行われるケースにもあてはまる。【０００７】
そこで、ビームフォーミングが行われる場合にリファレンス信号の送信に関連するオーバーヘッドを抑えることを可能にする仕組みが提供されることが望ましい。
【課題を解決するための手段】
【０００８】
本開示によれば、指向性ビームによる送信用に当該指向性ビームに割り当てられたアンテナポートに関するアンテナ関連情報を取得する取得部と、上記アンテナ関連情報を端末装置に通知する通知部と、を備える装置が提供される。【０００９】
また、本開示によれば、指向性ビームによる送信用に当該指向性ビームに割り当てられたアンテナポートに関するアンテナ関連情報を取得する取得部と、上記アンテナ関連情報に基づいて受信処理を行う受信処理部と、を備える装置が提供される。
【発明の効果】
【００１０】
以上説明したように本開示によれば、ビームフォーミングが行われる場合にリファレンス信号の送信に関連するオーバーヘッドを抑えることが可能になる。なお、上記の効果は必ずしも限定的なものではなく、上記効果とともに、又は上記効果に代えて、本明細書に示されたいずれかの効果、又は本明細書から把握され得る他の効果が奏されてもよい。
【図面の簡単な説明】
【００１１】
【図１】ラージスケールＭＩＭＯのビームフォーミング用の重みセットを説明するための説明図である。
【図２】重み係数の乗算とリファレンス信号の挿入との関係を説明するための説明図である。
【図３】トランスミッションモード９においてアンテナポート７、８、１１、１３を使用してＤＭＲＳが送信されるリソースの例を説明するための説明図である。
【図４】トランスミッションモード９においてアンテナポート９、１０、１２、１４を使用してＤＭＲＳが送信されるリソースの例を説明するための説明図である。
【図５】指向性ビームが反射しない環境の一例を説明するための説明図である。
【図６】指向性ビームが反射する環境の一例を説明するための説明図である。
【図７】一実施形態に係るシステムの概略的な構成の一例を示す説明図である。
【図８】同実施形態に係る基地局の構成の一例を示すブロック図である。
【図９】同実施形態に係る端末装置の構成の一例を示すブロック図である。
【図１０】基地局により形成される指向性ビームの例を説明するための説明図である。
【図１１】各指向性ビームに割り当てられるアンテナポートの例を説明するための説明図である。
【図１２】リファレンス信号を送信するためのリソースにおける各ビームによる送信の例を説明するための説明図である。
【図１３】基地局により形成される指向性ビームの例を説明するための説明図である。
【図１４】他の手法（指向性ビームごとに異なるアンテナポートを用意する手法）により各指向性ビームに割り当てられるアンテナポートの例を説明するための説明図である。
【図１５】他の手法における各ビームによる送信の例を説明するための説明図である。
【図１６】第１の手法により各指向性ビームに割り当てられるアンテナポートの例を説明するための説明図である。
【図１７】第１の手法における各ビームによる送信の例を説明するための説明図である。
【図１８】第２の手法により各指向性ビームに割り当てられるアンテナポートの例を説明するための説明図である。
【図１９】基地局により形成される指向性ビームの例を説明するための説明図である。
【図２０】第３の手法により各指向性ビームに割り当てられるアンテナポートの例を説明するための説明図である。
【図２１】第３の手法における各ビームによる送信の例を説明するための説明図である。
【図２２】基地局により形成される指向性ビームの例を説明するための説明図である。
【図２３】第４の手法により各指向性ビームに割り当てられるアンテナポートの例を説明するための説明図である。
【図２４】第４の手法における各ビームによる送信の例を説明するための説明図である。
【図２５】同実施形態に係る送受信処理の概略的な流れの第１の例を示すフローチャートである。
【図２６】同実施形態に係る送受信処理の概略的な流れの第２の例を示すフローチャートである。
【図２７】同実施形態に係るアンテナポート割当て処理の概略的な流れの一例を示すフローチャートである。
【図２８】ｅＮＢの概略的な構成の第１の例を示すブロック図である。
【図２９】ｅＮＢの概略的な構成の第２の例を示すブロック図である。
【図３０】スマートフォンの概略的な構成の一例を示すブロック図である。
【図３１】カーナビゲーション装置の概略的な構成の一例を示すブロック図である。
【発明を実施するための形態】
【００１２】
以下に添付の図面を参照しながら、本開示の好適な実施の形態について詳細に説明する。なお、本明細書及び図面において、実質的に同一の機能構成を有する構成要素については、同一の符号を付することにより重複説明を省略する。
【００１３】
なお、説明は以下の順序で行うものとする。
１．はじめに
１．１．ビームフォーミングに関する技術
１．２．技術的課題
２．システムの概略的な構成
３．各装置の構成
３．１．基地局の構成
３．２．端末装置の構成
４．技術的特徴
５．処理の流れ
６．応用例
６．１．基地局に関する応用例
６．２．端末装置に関する応用例
７．まとめ
【００１４】
＜＜１．はじめに＞＞
まず、図１〜図６を参照して、ビームフォーミングに関する技術、及び本開示の実施形態に係る技術的特徴を説明する。
【００１５】
＜１．１．ビームフォーミングに関する技術＞
図１〜図６を参照して、ビームフォーミングに関する技術を説明する。
【００１６】
（１）ラージスケールＭＩＭＯの必要性
現在、３ＧＰＰでは、爆発的に増加するトラフィックを収容するために、セルラーシステムの容量を向上するための様々な技術が検討されている。将来、現在の１０００倍程度の容量が必要とも言われている。ＭＵ−ＭＩＭＯ及びＣｏＭＰなどの技術では、セルラーシステムの容量は数倍程度しか増加しないと考えられる。そのため、画期的な手法が求められている。
【００１７】
３ＧＰＰのリリース１０では、ｅＮｏｄｅＢが８本のアンテナを搭載することが規格化されている。よって、当該アンテナによれば、ＳＵ−ＭＩＭＯ（Single-User  Multi-Input  Multiple-Input  Multiple-Output）の場合に８レイヤのＭＩＭＯを実現することができる。８レイヤのＭＩＭＯとは、独立な８つのストリームを空間的に多重する技術である。また、４ユーザに２レイヤのＭＵ−ＭＩＭＯを実現することもできる。
【００１８】
ＵＥ（User  Equipment）ではアンテナの配置のためのスペースが小さいこと、及びＵＥの処理能力には限界があることに起因して、ＵＥのアンテナのアンテナ素子を増やすことは難しい。しかし、近年のアンテナ実装技術の進歩により、１００個程度のアンテナ素子を含む指向性アンテナをｅＮｏｄｅＢに配置することは不可能ではなくなってきている。
【００１９】
例えば、セルラーシステムの容量を大幅に増加させるための手法として、多数のアンテナ素子（例えば、１００個程度のアンテナ素子）を含む指向性アンテナを使用して基地局がビームフォーミングを行うことが考えられる。このような技術は、ラージスケール（Large-Scale）ＭＩＭＯ又はマッシブ（Massive）ＭＩＭＯと呼ばれる技術の一形態である。このようなビームフォーミングによれば、ビームの半値幅は狭くなる。即ち、鋭いビームが形成される。また、上記多数のアンテナ素子を平面上に配置することにより、所望の３次元方向へのビームを形成することも可能になる。例えば、基地局よりも高い位置（例えば、高層ビルの上層階）に向けたビームを形成することにより、当該位置に存在する端末装置への信号を送信することが、提案されている。
【００２０】
典型的なビームフォーミングでは、水平方向でビームの方向を制御することが可能である。そのため、当該典型的なビームフォーミングは、２次元ビームフォーミングとも言える。一方、ラージスケールＭＩＭＯ（又はマッシブＭＩＭＯ）のビームフォーミングでは、水平方向に加えて垂直方向にもビームの方向を制御することが可能である。即ち、水平方向及び垂直方向の所望の指向性を有する３次元ビームを形成することができる。そのため、ラージスケールＭＩＭＯのビームフォーミングは、３次元ビームフォーミングとも言える。例えば、２次元に配置されたアンテナ素子を使用することにより、３次元ビームを形成することができる。
【００２１】
なお、アンテナ本数が増えるので、ＭＵ−ＭＩＭＯでのユーザ数を増やすことが可能になる。このような技術は、ラージスケールＭＩＭＯ又はマッシブＭＩＭＯと呼ばれる技術の別の形態である。なお、ＵＥのアンテナ数が２本である場合には、１つのＵＥについての空間的に独立したストリームの数は２本であるので、１つのＵＥについてのストリーム数を増やすよりも、ＭＵ−ＭＩＭＯのユーザ数を増やす方が合理的である。
【００２２】
（２）重みセット
ビームフォーミング用の重みセット（即ち、複数のアンテナ素子のための重み係数のセット）は、複素数として表される。以下、図１を参照して、とりわけラージスケールＭＩＭＯのビームフォーミング用の重みセットの例を説明する。
【００２３】
図１は、ラージスケールＭＩＭＯのビームフォーミング用の重みセットを説明するための説明図である。図１を参照すると、格子状に配置されたアンテナ素子が示されている。また、アンテナ素子が配置された平面上の直行する２つの軸ｘ、ｙ、及び、当該平面に直行する１つの軸ｚも示されている。ここで、形成すべきビームの方向は、例えば、角度phi（ギリシャ文字）及び角度theta（ギリシャ文字）で表される。角度phi（ギリシャ文字）は、ビーム方向のうちのｘｙ平面の成分とｘ軸とのなす角度である。また、角度theta（ギリシャ文字）は、ビーム方向とｚ軸とのなす角度である。この場合に、例えば、ｘ軸方向においてｍ番目に配置され、ｙ軸方向においてｎ番目に配置されるアンテナ素子の重み係数Ｖｍ，ｎは、以下のように表され得る。
【００２４】
【数１】
2016152315.tif 000003
【００２５】
ｆは周波数であり、ｃは光速である。また、ｊは複素数における虚数単位である。また、ｄｘは、ｘ軸方向におけるアンテナ素子の間隔であり、ｄｙは、ｙ軸方向におけるアンテナ素子間の間隔である。なお、アンテナ素子の座標は、以下のように表される。
【００２６】
【数２】
2016152315.tif 000004
【００２７】
典型的なビームフォーミング（２次元ビームフォーミング）用の重みセットは、水平方向における指向性を得るための重みセットと、マルチレイヤＭＩＭＯ（例えば、デュアルレイヤＭＩＭＯ）の位相調整用の重みセット（例えば、異なる偏波に対応する２つのアンテナサブアレイ間の位相調整用の重みセット）とに分解され得る。一方、ラージスケールＭＩＭＯのビームフォーミング（３次元ビームフォーミング）用の重みセットは、水平方向における指向性を得るための第１の重みセットと、垂直方向における指向性を得るための第２の重みセットと、マルチレイヤＭＩＭＯ（例えば、デュアルレイヤＭＩＭＯ）の位相調整用の第３の重みセットとに分解され得る。例えば、当該第３の重みセットは、サブアレイ間の位相調整用の重みセットである。なお、シングルレイヤで送信される場合には、マルチレイヤＭＩＭＯ（例えば、デュアルレイヤＭＩＭＯ）の位相調整用の重みセットは含まれなくてもよい。
【００２８】
（３）信号の受信
指向性ビームにより（over  a  directional  beam）送信される信号の復調（demodulation）のために、ｅＮＢ（evolved  Node  B）は、ダウンリンクにおいて、データ信号とともにＤＭＲＳ（Demodulation  Reference  Signal）を送信する。ＤＭＲＳは、ＵＥにとって既知のシーケンスであり、ビームフォーミングのための重み係数のセット（データ信号に乗算される重み係数のセットと同じもの）が乗算される。ＵＥは、ＤＭＲＳの受信結果に基づいて、データ信号の位相及び振幅を復元することにより、当該データ信号を復調し、復号する。
【００２９】
（４）ＤＭＲＳ
（ａ）ＣＲＳ及びＣＳＩ−ＲＳとＤＭＲＳとの違い
ＬＴＥでは、ＤＭＲＳの他に、ＣＲＳ（Cell-specific  Reference  Signal）及びＣＳＩ−ＲＳ（Channel  State  Information  Reference  Signal）というリファレンス信号がある。ＣＲＳ及びＣＳＩ−ＲＳは、データ信号の復調のために使用されるわけではなく、主としてチャネル品質を測定するために使用される。具体的には、ＣＲＳは、セル選択のために使用され、ＣＳＩ−ＲＳは、変調方式の決定のために使用される。したがって、現行の規格によれば、ＣＲＳ及びＣＳＩ−ＲＳは、指向性ビームにより送信されず、無指向性の電波により送信される。
【００３０】
なお、指向性ビームによりＣＲＳ及び／又はＣＳＩ−ＲＳを送信することも考えられる。無指向性の電波によりＣＲＳ及び／又はＣＳＩ−ＲＳを送信するか、又は、指向性ビームによりＣＲＳ及び／又はＣＳＩ−ＲＳを送信するかは、その時々のシステムの設計思想による。
【００３１】
一方、ＤＭＲＳは、指向性ビームにより送信されるデータ信号の復調のために送信されるので、同様に当該指向性ビームにより送信される。
【００３２】
図２を参照して、リファレンス信号と重み係数の乗算の例を説明する。図２は、重み係数の乗算とリファレンス信号の挿入との関係を説明するための説明図である。図２を参照すると、各アンテナ素子８１に対応する送信信号８２は、乗算器８４において重み係数８３を複素乗算される。そして、重み係数８３を複素乗算された送信信号８２が、アンテナ素子８１から送信される。また、ＤＲ−ＭＳ８５は、乗算器８４の前に挿入され、乗算器８４において重み係数８３が複素乗算される。そして、重み係数８３が複素乗算されたＤＲ−ＭＳ８５が、アンテナ素子８１から送信される。一方、ＣＲＳ８６（及びＣＳＩ−ＲＳ）は、乗算器８４の後に挿入される。そして、ＣＲＳ８６（及びＣＳＩ−ＲＳ）は、重み係数８３を乗算されることなく、アンテナ素子８１から送信される。
【００３３】
（ｂ）ＤＭＲＳの送信に使用されるリソースの例
ＤＭＲＳは、対応するアンテナポートを使用して送信される。また、ＤＭＲＳは、当該対応するアンテナポートに関連付けられているリソースで送信される。当該リソースとは、時間周波数リソースと符号系列との組合せである。なお、任意の１つのアンテナポートに関連付けられているリソースと、他のアンテナポートに関連付けられているリソースとは、互いに直交（orthogonal）している。即ち、任意の１つのアンテナポートに関連付けられているリソースと、他のアンテナポートに関連付けられているリソースとは、時間周波数リソース及び符号系列の少なくとも一方が異なる。以下、図３及び図４を参照して、ＤＭＲＳが送信されるリソースの例を説明する。
【００３４】
図３は、トランスミッションモード９においてアンテナポート７、８、１１、１３を使用してＤＭＲＳが送信されるリソースの例を説明するための説明図である。図３を参照すると、時間方向に並ぶ２つのリソースブロックが示されている。図３に示されるように、アンテナポート７、８、１１、１３について、１２個のリソースエレメントがＤＭＲＳのためのリソースエレメントとして用意されている。ｅＮＢは、アンテナポート７、８、１１、１３を使用して、これらのリソースエレメントでＤＭＲＳを送信する。とりわけ、（擬似的に）直交するリソースをアンテナポート７、８、１１、１３にそれぞれ与えるために、アンテナポート７、８、１１、１３に以下のような符号系列を適用する。
アンテナポート  ７  ：＋１,＋１,＋１,＋１
アンテナポート  ８  ：＋１,−１,＋１,−１
アンテナポート１１  ：＋１,＋１,−１,−１
アンテナポート１３  ：＋１,−１,−１,＋１
【００３５】
図４は、トランスミッションモード９においてアンテナポート９、１０、１２、１４を使用してＤＭＲＳが送信されるリソースの例を説明するための説明図である。図４を参照すると、時間方向に並ぶ２つのリソースブロックが示されている。図４に示されるように、アンテナポート９、１０、１２、１４について、１２個のリソースエレメントがＤＭＲＳのためのリソースエレメントとして用意されている。ｅＮＢは、アンテナポート９、１０、１２、１４を使用して、これらのリソースエレメントでＤＭＲＳを送信する。図４に示される１２個のリソースエレメントは、図３に示される１２個のリソースエレメントと周波数の観点で直交している。即ち、アンテナポート９、１０、１２、１４に関連付けられているリソースは、アンテナポート７、８、１１、１３に関連付けられているリソースと直交する。さらに、（擬似的に）直交するリソースをアンテナポート９、１０、１２、１４にそれぞれ与えるために、アンテナポート９、１０、１２、１４に以下のような符号系列を適用する。
アンテナポート  ９  ：＋１,＋１,＋１,＋１
アンテナポート１０  ：＋１,−１,＋１,−１
アンテナポート１２  ：−１,−１,＋１,＋１
アンテナポート１４  ：−１,＋１,＋１,−１
【００３６】
以上のように、任意の１つのアンテナポートに関連付けられているリソースは、他のアンテナポートに関連付けられているリソースと直交する。例えば、２つのアンテナを有するＵＥは、上述したような８つのアンテナポートからの信号を受信することにより、８Ｘ２のチャネル行列を算出することができる。
【００３７】
（５）アンテナポート
（ａ）仮想的なアンテナ
ＬＴＥでは、物理的なアンテナ／アンテナ素子の代わりに、アンテナポートという仮想的なアンテナが用意されている。アンテナポートは１つ以上の物理的なアンテナ又はアンテナ素子に対応するが、アンテナポートが具体的にどのアンテナ／アンテナ素子に対応するかは実装に依存し、自由度がある。例えば、１つのアンテナポートが、１つのアンテナ（例えば、１つの通常のアンテナ又は１つのアレイアンテナ）に対応し得る。また、例えば、１つのアンテナポートが、アレイアンテナに含まれる１つのアンテナ素子（又は複数のアンテナ素子）に対応し得る。
【００３８】
（ｂ）アンテナポートに関連付けられているリソース
上述したように、例えば、複数のアンテナポートのために、互いに直交する複数のリソース（時間周波数リソースと符号系列との組合せ）が用意され、ＤＭＲＳの送信に使用される。例えば、ｅＮＢは、第１のアンテナポート（例えば、アンテナポート１０）を使用して、第１のリソースにおいてＤＭＲＳを送信し、第２のアンテナポート（例えば、アンテナポート１１）を使用して、上記第１のリソースと直交する第２のリソースにおいてＤＭＲＳを送信する。
【００３９】
（ｃ）直交するリソースを用意する理由
各アンテナポートには、空間的に異なる位置にあるアンテナ／アンテナ素子に対応するので、これにより、ｅＮＢとＵＥとの間に空間的に独立したチャネルが得られる。当該直交なチャネルを得る前段階で、リファレンス信号（例えば、ＤＭＲＳ）に基づいてチャネル特性を推定する必要がある。当該リファレンス信号への干渉が発生するとチャネル特性を推定することが困難になるので、異なるアンテナポートを使用して送信されるリファレンス信号の間で干渉が発生しないように、アンテナポートごとに、直交するリソース（即ち、異なるリソース）が用意される。
【００４０】
例えば、ｅＮＢが２つのアンテナ（例えば、仮想的にも２つのアンテナポート）を有し、ＵＥも２つのアンテナを有する。この場合に、４（２Ｘ２）チャネルの伝達関数から、チャネル行列Ｈ（２Ｘ２）が算出される。そして、チャネル行列Ｈの一般逆行列が算出され、当該一般逆行列を受信データに左辺から乗算することにより、空間的に独立した２つのチャネルが得られる。とりわけ、チャネル行列Ｈを適切に算出するために、２つのアンテナポートを使用して送信されるリファレンス信号の間で干渉が発生しないように、２つのアンテナポートの各々に、直交するリソース（即ち、異なるリソース）が用意される。
【００４１】
（６）指向性ビームの間の干渉
ｅＮＢが形成する指向性ビームが反射する環境では、指向性ビームによる反射により、当該指向性ビームが、当該指向性ビームと放射方向が近い他の指向性ビームに干渉し得る。以下、この点について図５及び図６を参照して具体例を説明する。
【００４２】
図５は、指向性ビームが反射しない環境の一例を説明するための説明図である。図５を参照すると、ｅＮＢ１１及びＵＥ２１、２３、２５が示されている。例えば、ｅＮＢ１１は、ＵＥ２１へ向けた指向性ビーム３１、ＵＥ２３へ向けた指向性ビーム３３、及びＵＥ２５へ向けた指向性ビーム３５を形成する。この例では、指向性ビーム３１、３３、３５は反射せず、指向性ビーム３１、３３、３５の間で干渉が発生しない。
【００４３】
図６は、指向性ビームが反射する環境の一例を説明するための説明図である。図６を参照すると、ｅＮＢ１１及びＵＥ２１、２３、２５が示されている。さらに、障害物４１、４３が示されている。例えば、障害物４１、４３は、建造物である。例えば、ｅＮＢ１１は、ＵＥ２１へ向けた指向性ビーム３１、ＵＥ２３へ向けた指向性ビーム３３、及びＵＥ２５へ向けた指向性ビーム３５を形成する。この例では、指向性ビーム３５は、障害物４１、４３で反射し、ＵＥ２３へ到達する。そのため、指向性ビーム３３と指向性ビーム３５との間で干渉が発生する。
【００４４】
以上のように、反射により指向性ビーム間での干渉が発生し得るが、全く異なる放射方向を有する２つの指向性ビームの間で干渉が発生する可能性は低いと考えられる。
【００４５】
＜１．２．技術的課題＞
次に、本開示の実施形態に係る技術的課題を説明する。
【００４６】
ラージスケールＭＩＭＯ（換言すると、マッシブＭＩＭＯ又はＦＤ−ＭＩＭＯ）が採用される場合には、例えば、多数のアンテナ素子（例えば、６４から数百程度のアンテナ素子）を有するアンテナが使用される。このようなアンテナ素子が増加すると、アンテナポートの数も爆発的に増加することが想定される。そのため、多数のアンテナポートを使用したリファレンス信号（例えば、ＤＭＲＳ）の送信のために、多数の直交するリソースが用意され、その結果、リファレンス信号の送信に関連するオーバーヘッドが大きくなり得る。
【００４７】
このようなアンテナポート及びオーバーヘッドの増加は、ビームフォーミングが行われるケースにもあてはまる。より具体的には、例えば、基地局によりビームフォーミングが行われる場合に、２つの指向性ビームの放射方向が近ければ、反射に起因して当該２つの指向性ビームの間で干渉が発生し得る（とりわけラージスケールＭＩＭＯのビームフォーミングが行われる場合には、反射により干渉が発生する可能性がより高いと考えられる）。そこで、例えば、当該２つの指向性ビームにより信号を送信する際に異なるアンテナポートが使用されれば、端末装置は、干渉除去（interference  cancellation）（例えば、ＳＩＣ（Successive  Interference  Cancellation）又はＰＩＣ（Parallel  Interference  Cancellation）など）などの技術により、一方の指向性ビームにより送信される信号と、他方の指向性ビームにより送信される信号とに、受信信号を分離し得る。このような利点があるので、ビームフォーミングが行われる場合にも、多数のアンテナポートが使用され得る。その結果、オーバーヘッドが大きくなり得る。
【００４８】
ただし、放射方向が大きく異なる指向性ビームの間では干渉が発生する可能性が低いので、このような指向性ビームにより信号を送信には、異なるアンテナポートを使用しなくてもよく、同じアンテナポートが使用されてもよい。この点を考慮すると、ビームフォーミングが行われる場合に、アンテナポートをむやみに増加させることが回避され得る。
【００４９】
そこで、ビームフォーミングが行われる場合にリファレンス信号の送信に関連するオーバーヘッドを抑えることを可能にする仕組みが提供されることが望ましい。
【００５０】
＜＜２．システムの概略的な構成＞＞
続いて、図７を参照して、本開示の実施形態に係るシステム１の概略的な構成を説明する。図７は、本開示の実施形態に係るシステム１の概略的な構成の一例を示す説明図である。図７を参照すると、システム１は、基地局１００及び端末装置２００を含む。システム１は、例えば、ＬＴＥ、ＬＴＥ−Ａｄｖａｎｃｅｄ、又はこれらに準ずる通信規格に準拠したシステムである。
【００５１】
（１）基地局１００
基地局１００は、端末装置２００との無線通信を行う。例えば、基地局１００は、基地局１００のセル１０１内に位置する端末装置２００との無線通信を行う。
【００５２】
とりわけ本開示の実施形態では、基地局１００は、ビームフォーミングを行う。例えば、当該ビームフォーミングは、ラージスケールＭＩＭＯのビームフォーミングである。当該ビームフォーミングは、マッシブＭＩＭＯのビームフォーミング、ＦＤ（free  dimension）−ＭＩＭＯのビームフォーミング、又は３次元ビームフォーミングとも呼ばれ得る。具体的には、例えば、基地局１００は、ラージスケールＭＩＭＯに使用可能な指向性アンテナを備え、当該指向性アンテナのための重みセットを送信信号に乗算することによりラージスケールＭＩＭＯのビームフォーミングを行う。
【００５３】
（２）端末装置２００
端末装置２００は、基地局１００との無線通信を行う。例えば、端末装置２００は、基地局１００のセル１０１内に位置する場合に、基地局１００との無線通信を行う。
【００５４】
＜＜３．各装置の構成＞＞
続いて、図８及び図９を参照して、基地局１００及び端末装置２００の構成の例を説明する。
【００５５】
＜３．１．基地局の構成＞
まず、図８を参照して、本開示の実施形態に係る基地局１００の構成の一例を説明する。図８は、本開示の実施形態に係る基地局１００の構成の一例を示すブロック図である。図８を参照すると、基地局１００は、アンテナ部１１０、無線通信部１２０、ネットワーク通信部１３０、記憶部１４０及び処理部１５０を備える。
【００５６】
（１）アンテナ部１１０
アンテナ部１１０は、無線通信部１２０により出力された信号を電波として空間に放射する。また、アンテナ部１１０は、空間の電波を信号に変換し、当該信号を無線通信部１２０へ出力する。
【００５７】
例えば、アンテナ部１１０は、指向性アンテナを含む。例えば、当該指向性アンテナは、ラージスケールＭＩＭＯに使用可能な指向性アンテナである。
【００５８】
（２）無線通信部１２０
無線通信部１２０は、信号を送受信する。例えば、無線通信部１２０は、端末装置２００へのダウンリンク信号を送信し、端末装置２００からのアップリンク信号を受信する。
【００５９】
（３）ネットワーク通信部１３０
ネットワーク通信部１３０は、情報を送受信する。例えば、ネットワーク通信部１３０は、他のノードへの情報を送信し、他のノードからの情報を受信する。例えば、上記他のノードは、他の基地局及びコアネットワークノードを含む。
【００６０】
（４）記憶部１４０
記憶部１４０は、基地局１００の動作のためのプログラム及びデータを記憶する。
【００６１】
（５）処理部１５０
処理部１５０は、基地局１００の様々な機能を提供する。処理部１５０は、割当部１５１、情報取得部１５３及び通知部１５５を含む。なお、処理部１５０は、これらの構成要素以外の他の構成要素をさらに含み得る。即ち、処理部１５０は、これらの構成要素の動作以外の動作も行い得る。
【００６２】
割当部１５１、情報取得部１５３及び通知部１５５の具体的な動作は、後に詳細に説明する。
【００６３】
＜３．２．端末装置の構成＞
次に、図９を参照して、本開示の実施形態に係る端末装置２００の構成の一例を説明する。図９は、本開示の実施形態に係る端末装置２００の構成の一例を示すブロック図である。図９を参照すると、端末装置２００は、アンテナ部２１０、無線通信部２２０、記憶部２３０及び処理部２４０を備える。
【００６４】
（１）アンテナ部２１０
アンテナ部２１０は、無線通信部２２０により出力された信号を電波として空間に放射する。また、アンテナ部２１０は、空間の電波を信号に変換し、当該信号を無線通信部２２０へ出力する。
【００６５】
（２）無線通信部２２０
無線通信部２２０は、信号を送受信する。例えば、無線通信部２２０は、基地局１００からのダウンリンク信号を受信し、基地局１００へのアップリンク信号を送信する。
【００６６】
（３）記憶部２３０
記憶部２３０は、端末装置２００の動作のためのプログラム及びデータを記憶する。
【００６７】
（４）処理部２４０
処理部２４０は、端末装置２００の様々な機能を提供する。処理部２４０は、情報取得部２４１及び受信処理部２４３を含む。なお、処理部２４０は、これらの構成要素以外の他の構成要素をさらに含み得る。即ち、処理部２４０は、これらの構成要素の動作以外の動作も行い得る。
【００６８】
情報取得部２４１及び受信処理部２４３の具体的な動作は、後に詳細に説明する。
【００６９】
＜＜４．技術的特徴＞＞
続いて、図１０〜図２４を参照して、本開示の実施形態に係る技術的特徴を説明する。
【００７０】
（１）指向性ビームへのアンテナポートの割当て
本開示の実施形態では、あらかじめ定義されている複数の指向性ビームの各々にアンテナポートが（送信用に）割り当て（assign）られる。当該複数の指向性ビームに含まれる指向性ビームによる送信には、当該指向性ビームに割り当てられたアンテナポートが使用される。
【００７１】
（ａ）同一のアンテナポートの割当て
例えば、上記複数の指向性ビームは、同一のアンテナポートを割り当てられる２つ以上の指向性ビームを含む。即ち、上記複数の指向性ビームのうちの２つ以上の指向性ビームに同一のアンテナポートが割り当てられる。
【００７２】
例えば、上記２つ以上の指向性ビームは、互いに干渉しない指向性ビームである。具体的には、例えば、上記２つ以上の指向性ビームは、放射方向がある程度異なる指向性ビーム（例えば放射方向が所定程度以上異なる指向性ビーム）である。
【００７３】
これにより、例えば、アンテナポートの数を少なくすることが可能になる。その結果、リファレンス信号の送信に必要なリソースが抑えられ得る。即ち、リファレンス信号に関連するオーバーヘッドが抑えられ得る。
【００７４】
なお、ここでの「互いに干渉しない指向性ビーム」とは、「互いに干渉されないと想定される指向性ビーム」であってもよく、「（測定などの結果として）実際に互いに干渉しない指向性ビーム」であってもよい。
【００７５】
（ｂ）異なるアンテナポートの割当て
例えば、上記複数の指向性ビームは、異なるアンテナポートを割り当てられる２つ以上の指向性ビームのセットを含む。即ち、上記複数の指向性ビームのうちの２つ以上の指向性ビームに異なるアンテナポートが割り当てられる。
【００７６】
例えば、上記２つ以上の指向性ビームの上記セットは、互いに干渉する指向性ビームのセットである。具体的には、例えば、上記２つ以上の指向性ビームの上記セットは、放射方向が近い（similar）指向性ビーム（例えば、放射方向が所定程度以上異ならない指向性ビーム）のセットである。
【００７７】
これにより、例えば、指向性ビーム間の干渉を抑制／除去することが可能になる。
【００７８】
なお、ここでの「互いに干渉する指向性ビーム」とは、「互いに干渉すると想定される指向性ビーム」であってもよく、「（測定などの結果として）実際に互いに干渉する指向性ビーム」であってもよい。
【００７９】
（ｃ）具体例
図１０及び図１１を参照して、指向性ビーム及びアンテナポートの具体的な例を説明する。図１０は、基地局１００により形成される指向性ビームの例を説明するための説明図であり、図１１は、各指向性ビームに割り当てられるアンテナポートの例を説明するための説明図である。
【００８０】
図１０を参照すると、この例では、基地局１００は、指向性ビーム３０１、３０３、３０５、３０７を形成する。指向性ビーム３０１の放射方向と、指向性ビーム３０３の放射方向とは、互いに近いが、指向性ビーム３０５の放射方向、及び指向性ビーム３０７の放射方向とは大きく異なる。即ち、指向性ビーム３０１と指向性ビーム３０３との間では干渉が発生し得るが、指向性ビーム３０１（又は指向性ビーム３０３）と、指向性ビーム３０５及び指向性ビーム３０７との間では、干渉が発生する可能性がかなり低い。また、指向性ビーム３０５の放射方向と、指向性ビーム３０７の放射方向とは、互いに大きく異なる。即ち、指向性ビーム３０５と指向性ビーム３０７との間では、干渉が発生する可能性がかなり低い。
【００８１】
これらの点を考慮すると、図１１に示されるように、例えば、ビーム０（指向性ビーム３０１）、ビーム２（指向性ビーム３０５）及びビーム３（指向性ビーム３０７）には、アンテナポートＡが割り当てられる。即ち、互いに干渉しない指向性ビームに同一のアンテナポートが割り当てられる。一方、ビーム１（指向性ビーム３０３）には、アンテナポートＢが割り当てられる。即ち、互いに干渉する指向性ビームのセット（指向性ビーム３０１及び指向性ビーム３０３）には、異なるアンテナポートが割り当てられる。
【００８２】
（ｄ）リファレンス信号を送信するためのリソースにおける各ビームによる送信
図１２を参照して、リファレンス信号を送信するためのリソースにおける各ビームによる送信の例を説明する。図１２は、リファレンス信号を送信するためのリソースにおける各ビームによる送信の例を説明するための説明図である。図１２を参照すると、アンテナポートＡのためのＤＭＲＳリソース５１（即ち、アンテナポートＡを使用してＤＭＲＳを送信するためのリソース）と、アンテナポートＢのためのＤＭＲＳリソース５３（即ち、アンテナポートＢを使用してＤＭＲＳを送信するためのリソース）とが示されている。ＤＭＲＳリソース５１とＤＭＲＳリソース５３とは、（時間周波数リソース及び符号系列の少なくとも一方で）互いに直交する。
【００８３】
この例では、基地局１００は、アンテナポートＡを使用して、ＤＭＲＳリソース５１において、ビーム０（指向性ビーム３０１）、ビーム２（指向性ビーム３０５）及びビーム３（指向性ビーム３９７）によりＤＭＲＳを送信する。一方、基地局１００は、アンテナポートＢを使用して、ＤＭＲＳリソース５３においてビーム１（指向性ビーム３０３）によりＤＭＲＳを送信する。
【００８４】
また、ビーム０（指向性ビーム３０１）とビーム１（指向性ビーム３０３）との間では干渉が発生し得る。そのため、基地局１００は、ビーム１（指向性ビーム３０３）により送信されるＤＭＲＳへの干渉を回避するため、ＤＭＲＳリソース５３においてビーム０（指向性ビーム３０１）によりいずれの信号も送信しない。即ち、ＤＭＲＳリソース５３は、ビーム０についてブランクとなる。また、基地局１００は、ビーム０（指向性ビーム３０１）により送信されるＤＭＲＳへの干渉を回避するため、ＤＭＲＳリソース５１においてビーム１（指向性ビーム３０３）によりいずれの信号も送信しない。即ち、ＤＭＲＳリソース５１は、ビーム１についてブランクとなる。
【００８５】
なお、ビーム２（指向性ビーム３０５）及びビーム３（指向性ビーム３０７）と、ビーム１（指向性ビーム３０３）との間では、干渉が発生する可能性がかなり低い。そのため、基地局１００は、アンテナポートＡを使用して、ＤＭＲＳリソース５３において、ビーム２（指向性ビーム３０５）及びビーム３（指向性ビーム３０７）の各々によりデータ信号を送信し得る。これにより、例えば、ビームごとにオーバーヘッドが異なるようになり、リファレンス信号の送信に関連するオーバーヘッドがさらに抑えられ得る。
【００８６】
（ｅ）割当ての主体
例えば、基地局１００（割当部１５１）が、上記複数の指向性ビームの各々にアンテナポートを割り当てる。
【００８７】
あるいは、基地局１００のオペレータが、上記複数の指向性ビームの各々にアンテナポートを割り当ててもよい。
【００８８】
（２）アンテナ関連情報の通知
本開示の実施形態では、基地局１００（情報取得部１５３）は、指向性ビームによる送信用に当該指向性ビームに割り当てられたアンテナポートに関するアンテナ関連情報を取得する。そして、基地局１００（通知部１５５）は、上記アンテナ関連情報を端末装置２００に通知する。
【００８９】
一方、端末装置２００（情報取得部２４１）は、上記アンテナ関連情報を取得する。そして、端末装置２００（受信処理部２４３）は、上記アンテナ関連情報に基づいて受信処理を行う。
【００９０】
これにより、例えば、上述したように指向性ビームごとにアンテナポートを実際に割り当てることが可能になる。そのため、アンテナポートの数が少なくなり得る。その結果、リファレンス信号の送信に必要なリソースが抑えられ得る。即ち、リファレンス信号に関連するオーバーヘッドが抑えられ得る。また、指向性ビーム間の干渉が抑制／除去され得る。
【００９１】
（ａ）指向性ビーム
例えば、上記指向性ビームは、あらかじめ定義されている上記複数の指向性ビームに含まれる。
【００９２】
（ｂ）アンテナポート
例えば、上記アンテナポートは、１つ以上の物理的なアンテナ又はアンテナ素子に対応する仮想的なアンテナである。一例として、上記アンテナポートは、アレイアンテナに含まれる２つ以上のアンテナ素子に対応する。
【００９３】
（ｃ）アンテナ関連情報（第１の例）
第１の例として、上記指向性ビームは、端末装置２００へ信号を送信するための指向性ビームである。即ち、基地局１００（通知部１５５）は、端末装置２００への信号を送信するための指向性ビームに割り当てられたアンテナポートに関するアンテナ関連情報を、当該端末装置２００に通知する。
【００９４】
図１０及び図１１を再び参照すると、一例として、端末装置２００へ信号を送信するための上記指向性ビームは、ビーム０（指向性ビーム３０１）であり、上記アンテナ関連情報は、ビーム０に割り当てられたアンテナポートＡに関する情報である。
【００９５】
（ｃ−１）具体的な情報
例えば、上記アンテナポートに関する上記アンテナ関連情報は、上記アンテナポートを示す情報を含む。
【００９６】
具体的には、例えば、当該情報は、上記アンテナポートのポート番号である。図１１を再び参照すると、一例として、上記アンテナ関連情報は、ビーム０（指向性ビーム３０１）に割り当てられたアンテナポートＡのポート番号である。
【００９７】
これにより、例えば、端末装置２００は、自装置宛の信号の送信に使用されるアンテナポートを知ることが可能になる。そのため、端末装置２００は、当該アンテナポートを使用してリファレンス信号（例えば、ＤＭＲＳ）が送信されるリソースを特定し、当該リファレンス信号の受信結果に基づいて、上記指向性ビームにより送信される信号を復調し、復号し得る。
【００９８】
（ｃ−２）リファレンス信号の送信用のリソース
例えば、上記アンテナポートを使用してリファレンス信号を送信するためのリソースは、あらかじめ定義されている。これにより、例えば、端末装置２００は、上記アンテナポートを知れば、上記リソースも知ることが可能になる。
【００９９】
あるいは、上記リソースは、あらかじめ定義されていなくてもよく、上記アンテナ関連情報は、上記アンテナポートを使用してリファレンス信号を送信するためのリソースを示す情報を含んでもよい。これにより、例えば、リファレンス信号の送信用のリソースを柔軟に決めることが可能になる。なお、この場合に、上記アンテナ関連情報は、上述したように上記アンテナポートを示す上記情報を含んでもよく、又は、上記アンテナポートを示す上記情報を含まなくてもよい。
【０１００】
なお、例えば、上記リソースは、時間周波数リソースと符号系列との組合せである。
【０１０１】
（ｃ−３）通知手法
例えば、基地局１００（通知部１５５）は、端末装置２００へのシグナリング（例えば、ＲＲＣ（Radio  Resource  Control）シグナリング）により、上記アンテナ関連情報を端末装置２００に通知する。換言すると、基地局１００（通知部１５５）は、端末装置２００へのシグナリングメッセージ（例えば、ＲＲＣメッセージ）の中で、上記アンテナ関連情報を端末装置２００に通知する。
【０１０２】
あるいは、基地局１００（通知部１５５）は、端末装置２００へのダウンリンク制御情報（Downlink  Control  Information：ＤＣＩ）の中で、上記アンテナ関連情報を端末装置２００に通知してもよい。当該ＤＣＩは、物理ダウンリンク制御チャネル（Physical  Downlink  Control  Channel：ＰＤＣＣＨ）上で送信される情報である。
【０１０３】
（ｃ−４）他のアンテナ関連情報のさらなる通知
例えば、基地局１００（情報取得部１５３）は、他の指向性ビームによる送信用に当該他の指向性ビームに割り当てられたアンテナポートに関する他のアンテナ関連情報を取得する。そして、基地局１００（通知部１５５）は、上記他のアンテナ関連情報を端末装置２００にさらに通知する。
【０１０４】
例えば、上記他の指向性ビームは、上記指向性ビームに干渉する指向性ビームである。図１０及び図１１を再び参照すると、一例として、上記指向性ビームは、ビーム０（指向性ビーム３０１）であり、上記他の指向性ビームは、ビーム１（指向性ビーム３０３）である。そして、上記他のアンテナ関連情報は、ビーム１に割り当てられたアンテナポートＢに関する情報である。
【０１０５】
例えば、上記他のアンテナ関連情報も、上記アンテナ関連情報と同様の情報を含む。具体的には、例えば、上記他のアンテナ関連情報は、上記他の指向性ビームに割り当てられたアンテナポートを示す情報（例えば、アンテナポートＢのポート番号など）を含む。
【０１０６】
例えば、基地局１００（通知部１５５）は、端末装置２００へのシグナリングにより、上記他のアンテナ関連情報を端末装置２００に通知する。あるいは、基地局１００（通知部１５５）は、端末装置２００へのＤＣＩの中で、上記他のアンテナ関連情報を端末装置２００に通知する。
【０１０７】
これにより、例えば、端末装置２００は、他の指向性ビームにより送信される信号を干渉として除去することが可能になる。
【０１０８】
（ｃ−５）端末装置の動作
−アンテナ関連情報に基づく受信処理
上述したように、端末装置２００（受信処理部２４３）は、上記アンテナ関連情報に基づいて受信処理を行う。
【０１０９】
例えば、端末装置２００は、上記アンテナ関連情報から、端末装置２００へ信号を送信するための指向性ビームに割り当てられたアンテナポートを特定し、当該アンテナポートを使用してリファレンス信号（例えば、ＤＭＲＳ）を送信するためのリソースを特定する。そして、端末装置２００は、当該リソースにおいて送信されるリファレンス信号の受信結果に基づいて、端末装置２００へのデータ信号の位相及び振幅を復元することにより、当該データ信号を復調し、復号する。
【０１１０】
−他のアンテナ関連情報に基づく受信処理
例えば、端末装置２００（受信処理部２４３）は、上記他のアンテナ関連情報にさらに基づいて受信処理を行う。
【０１１１】
例えば、端末装置２００は、上記他のアンテナ関連情報から、上記指向性ビームに干渉する他の指向性ビームに割り当てられたアンテナポートを特定し、当該アンテナポートを使用してリファレンス信号（例えば、ＤＭＲＳ）を送信するためのリソースを特定する。そして、端末装置２００は、当該リソースにおいて送信されるリファレンス信号の受信結果に基づいて、上記他の指向性ビームにより送信される信号を干渉信号として生成し、受信信号から当該干渉信号を除去する。そして、端末装置２００は、除去後の信号から、端末装置２００へのデータ信号を復調し、復号する。
【０１１２】
（ｄ）アンテナ関連情報（第２の例）
第２の例として、基地局１００（情報取得部１５３）は、あらかじめ定義されている上記複数の指向性ビームの各々についての上記アンテナ関連情報を取得してもよい。そして、基地局１００（通知部１５５）は、上記複数の指向性ビームの各々についての上記アンテナ関連情報を端末装置２００に通知してもよい。
【０１１３】
図１０及び図１１を再び参照すると、一例として、上記複数の指向性ビームは、ビーム０（指向性ビーム３０１）、ビーム１（指向性ビーム３０３）、ビーム２（指向性ビーム３０５）及びビーム３（指向性ビーム３０７）などを含んでもよい。そして、基地局１００（通知部１５５）は、ビーム０、ビーム１、ビーム２及びビーム３などの各々についてのアンテナ関連情報を、端末装置２００に通知してもよい。なお、「ビーム０についてのアンテナ関連情報」とは、「ビーム０に割り当てられたアンテナポートに関するアンテナ関連情報」を意味する。
【０１１４】
（ｄ−１）具体的な情報
指向性ビームについてのアンテナ関連情報は、当該指向性ビームに割り当てられたアンテナポートを示す情報（例えば、当該アンテナポートのポート番号）を含んでもよい。また、上記指向性ビームについての上記アンテナ関連情報は、上記指向性ビームを示す情報（例えば、上記指向性ビームに対応するＰＭＩ（Precoding  Matrix  Indicator）など）をさらに含んでもよい。具体的には、上記アンテナ関連情報は、上記指向性ビームを示す上記情報と、上記アンテナポートを示す上記情報とのセットを含んでもよい。
【０１１５】
図１１を再び参照すると、一例として、ビーム０についてのアンテナ関連情報は、ビーム０に対応するＰＭＩと、ビーム０に割り当てられたアンテナポートＡのポート番号とのセットを含んでもよい。
【０１１６】
（ｄ−２）リファレンス信号の送信用のリソース
アンテナポートを使用してリファレンス信号を送信するためのリソースは、あらかじめ定義されていてもよい。
【０１１７】
あるいは、アンテナポートを使用してリファレンス信号を送信するためのリソースは、あらかじめ定義されていなくてもよい。この場合に、アンテナポートに関するアンテナ関連情報は、当該アンテナポートを使用してリファレンス信号を送信するためのリソースを示す情報を含んでもよい。なお、この場合に、当該アンテナ関連情報は、上述したように当該アンテナポートを示す情報を含んでもよく、又は、当該アンテナポートを示す情報を含まなくてもよい。
【０１１８】
なお、上記リソースは、時間周波数リソースと符号系列との組合せであってもよい。
【０１１９】
（ｄ−３）通知手法
基地局１００（通知部１５５）は、端末装置２００へのシグナリング（例えば、ＲＲＣシグナリング）により、上記複数の指向性ビームの各々についての上記アンテナ関連情報を端末装置２００に通知してもよい。換言すると、基地局１００（通知部１５５）は、端末装置２００へのシグナリングメッセージ（例えば、ＲＲＣメッセージ）の中で、上記複数の指向性ビームの各々についての上記アンテナ関連情報を端末装置２００に通知してもよい。
【０１２０】
あるいは、基地局１００（通知部１５５）は、システム情報（例えば、ＳＩＢ（System  Information  Block））の中で、上記アンテナ関連情報を端末装置２００に通知してもよい。
【０１２１】
（ｄ−４）指向性ビームの特定
基地局１００（通知部１５５）は、端末装置２００へ信号を送信するための指向性ビームを示すビーム情報を、端末装置２００に通知してもよい。
【０１２２】
あるいは、端末装置２００は、測定（例えば、リファレンス信号（例えば、ＣＳＩ−ＲＳ）に基づく測定）の結果に基づいて、端末装置２００へ信号を送信するための適切な指向性ビームを選択し、当該適切な指向性ビームを示す情報（報告情報）を基地局１００に報告してもよい。そして、基地局１００は、当該適切な指向性ビームにより端末装置２００への信号を送信してもよい。なお、指向性ビームの選択のために、基地局１００が、指向性ビームによりリファレンス信号を送信し、端末装置２００が、当該リファレンス信号の受信結果に基づいて、当該指向性ビームを評価してもよい。あるいは、端末装置２００が、無指向性のリファレンス信号の受信結果と、指向性ビームに対応する重み係数のセットとに基づいて、当該指向性ビームを仮想的に評価してもよい。
【０１２３】
これにより、例えば、端末装置２００は、端末装置２００へ信号を送信するための指向性ビームを特定することができる。
【０１２４】
なお、基地局１００（通知部１５５）は、他の指向性ビームを示す他のビーム情報も、端末装置２００に通知してもよい。当該他の指向性ビームは、端末装置２００へ信号を送信するための上記指向性ビームに干渉する指向性ビームであってもよい。
【０１２５】
（ｄ−５）端末装置の動作
上述したように、端末装置２００（受信処理部２４３）は、上記アンテナ関連情報に基づいて受信処理を行ってもよい。
【０１２６】
端末装置２００は、上記ビーム情報及び上記アンテナ関連情報から、端末装置２００へ信号を送信するための指向性ビームに割り当てられたアンテナポートを特定してもよい。さらに、端末装置２００は、当該アンテナポートを使用してリファレンス信号（例えば、ＤＭＲＳ）を送信するためのリソースを特定してもよい。そして、端末装置２００は、当該リソースにおいて送信されるリファレンス信号の受信結果に基づいて、端末装置２００へのデータ信号の位相及び振幅を復元することにより、当該データ信号を復調し、復号してもよい。
【０１２７】
また、端末装置２００は、上記他のビーム情報及び上記アンテナ関連情報から、上記指向性ビームに干渉する他の指向性ビームに割り当てられたアンテナポートを特定してもよい。さらに、端末装置２００は、当該アンテナポートを使用してリファレンス信号（例えば、ＤＭＲＳ）を送信するためのリソースを特定してもよい。そして、端末装置２００は、当該リソースにおいて送信されるリファレンス信号の受信結果に基づいて、上記他の指向性ビームにより送信される信号を干渉信号として生成し、受信信号から当該干渉信号を除去してもよい。そして、端末装置２００は、除去後の信号から、端末装置２００へのデータ信号を復調し、復号してもよい。
【０１２８】
（３）動的／準静的なアンテナポートの割当て
例えば、基地局１００（割当部１５１）は、あらかじめ定義されている上記複数の指向性ビームの各々にアンテナポートを動的に又は準静的に割り当てる。即ち、基地局１００（割当部１５１）は、上記複数の指向性ビームの各々にアンテナポートを静的に（即ち、固定的に）割り当てず、上記複数の指向性ビームの各々に割り当てられたアンテナポートを変更する。
【０１２９】
例えば、基地局１００（割当部１５１）は、端末装置２００により報告される干渉情報に基づいて、上記複数の指向性ビームの各々にアンテナポートを割り当てる。例えば、端末装置２００は、ＣＳＩ−ＲＳに基づいて干渉の測定を行い、当該測定の結果を上記干渉情報として基地局１００に報告する。一例として、端末装置２００は、ＣＳＩ−ＲＳに基づいて各指向性ビームの受信電力を測定し、受信電力が大きい１つ以上の指向性ビーム（例えば、１つ以上の干渉ビーム）を示す情報を、上記干渉情報として基地局１００に報告する。
【０１３０】
例えば、基地局１００は、互いに干渉する２つの指向性ビームに異なるアンテナポートが割り当てられるように、上記複数の指向性ビームの各々にアンテナポートを割り当てる。
【０１３１】
より具体的には、例えば、基地局１００は、セル１０１内に位置する端末装置２００の位置の変化に応じて、指向性ビームを変更する。また、例えば、基地局１００は、セル１０１内に位置する端末装置２００の数の変化に応じて、指向性ビームの数を変更する。そのため、例えば、基地局１００が、指向性ビーム又は指向性ビームの数の変更し、その結果、同じアンテナポートを割り当てられた２つの指向性ビーム間にある程度以上の干渉が発生し得る。この場合に、基地局１００は、当該２つの指向性ビームに異なるアンテナポートを割り当てる。なお、この場合には、アンテナポートの数が増加し得る。
【０１３２】
例えば、基地局１００が、指向性ビーム又は指向性ビームの数の変更し、その結果、あるアンテナポートを割り当てられている１つ以上の指向性ビームに、他のアンテナポートを割り当てても、干渉が発生しなくなる。すると、基地局１００は、当該１つ以上の指向性ビームに、当該他のアンテナポートを割り当てる。この場合に、上記あるアンテナポートが不要となり、その結果、アンテナポートの数が減少し得る。
【０１３３】
これにより、例えば、実際の干渉状況を考慮してアンテナポートが割り当てられる。その結果、指向性ビーム間の干渉が抑えられ得る。また、アンテナポートの数が抑えられ、リファレンス信号に関連するオーバーヘッドも抑えられ得る。
【０１３４】
（４）アンテナポートの割当ての様々な例
本開示の実施形態では、アンテナポートの様々な割当てが存在し得る。以下、アンテナポートの割当ての第１〜第４の手法を例示的に説明する。
【０１３５】
（ａ）第１の手法
例えば、あらかじめ定義されている上記複数の指向性ビームは、第１の指向性ビーム、第２の指向性ビーム及び第３の指向性ビームを含む。上記第１の指向性ビームは、上記第２の指向性ビーム及び上記第３の指向性ビームと隣接する。上記第２の指向性ビーム及び上記第３の指向性ビームは、互いに隣接しない。ここで、「第１の指向性ビームが第２の指向性ビームと隣接する」とは、離散的な放射方向のセットの中で第１の指向性ビームの放射方向が第２の指向性ビームの放射方向と隣接することを意味する。
【０１３６】
とりわけ、第１の手法では、上記第１の指向性ビームには、第１のアンテナポートを割り当てられ、上記第２の指向性ビーム及び上記第３の指向性ビームには、上記第１のアンテナポートとは異なる第２のアンテナポートを割り当てられる。以下、図１３〜図１７を参照して、具体例を説明する。
【０１３７】
（ａ−１）指向性ビームの例
図１３は、基地局１００により形成される指向性ビームの例を説明するための説明図である。図１３を参照すると、この例では、基地局１００は、指向性ビーム３１１、３１３、３１５を形成する。指向性ビーム３１３は、指向性ビーム３１１及び指向性ビーム３１５と隣接し、指向性ビーム３１１及び指向性ビーム３１５は、互いに隣接しない。例えば、指向性ビーム３１３が上記第１の指向性ビームであり、指向性ビーム３１３が上記第２の指向性ビームであり、指向性ビーム３１５が上記第３の指向性ビームである。
【０１３８】
（ａ−２）他の手法（指向性ビームごとに異なるアンテナポートを用意する手法）
図１４は、他の手法（指向性ビームごとに異なるアンテナポートを用意する手法）により各指向性ビームに割り当てられるアンテナポートの例を説明するための説明図である。図１４を参照すると、この手法では、ビーム０（指向性ビーム３１１）には、アンテナポートＡが割り当てられ、ビーム１（指向性ビーム３１３）には、アンテナポートＢが割り当てられ、ビーム２（指向性ビーム３１５）には、アンテナポートＣが割り当てられる。
【０１３９】
図１５は、他の手法における各ビームによる送信の例を説明するための説明図である。図１５を参照すると、アンテナポートＡのためのＤＭＲＳリソース５１と、アンテナポートＢのためのＤＭＲＳリソース５３と、アンテナポートＣのためのＤＭＲＳリソース５５とが、示されている。ＤＭＲＳリソース５１、ＤＭＲＳリソース５３及びＤＭＲＳリソース５５は、互いに直交する。この例では、基地局１００は、アンテナポートＡを使用してＤＭＲＳリソース５１においてビーム０（指向性ビーム３１１）によりＤＭＲＳを送信する。また、基地局１００は、アンテナポートＢを使用してＤＭＲＳリソース５３においてビーム１（指向性ビーム３１３）によりＤＭＲＳを送信する。また、基地局１００は、アンテナポートＣを使用してＤＭＲＳリソース５５においてビーム２（指向性ビーム３１５）によりＤＭＲＳを送信する。その結果、ＤＭＲＳの送信のために多くのＤＭＲＳリソースを用意する必要があり、オーバーヘッドが大きくなる。
【０１４０】
（ａ−３）アンテナポートの割当ての第１の手法
図１６は、第１の手法により各指向性ビームに割り当てられるアンテナポートの例を説明するための説明図である。図１６を参照すると、この手法では、ビーム０（指向性ビーム３１１）及びビーム２（指向性ビーム３１５）には、アンテナポートＡが割り当てられ、ビーム１（指向性ビーム３１３）には、アンテナポートＢが割り当てられる。
【０１４１】
図１７は、第１の手法における各ビームによる送信の例を説明するための説明図である。図１５を参照すると、アンテナポートＡのためのＤＭＲＳリソース５１と、アンテナポートＢのためのＤＭＲＳリソース５３とが、示されている。ＤＭＲＳリソース５１及びＤＭＲＳリソース５３は、互いに直交する。この例では、基地局１００は、アンテナポートＡを使用してＤＭＲＳリソース５１においてビーム０（指向性ビーム３１１）及びビーム２（指向性ビーム３１３）によりＤＭＲＳを送信する。また、基地局１００は、アンテナポートＢを使用してＤＭＲＳリソース５３においてビーム１（指向性ビーム３１３）によりＤＭＲＳを送信する。その結果、リファレンス信号の送信のためにより少ないＤＭＲＳリソースを用意すればよく、オーバーヘッドが小さくなる。なお、この例では、例えば、アンテナポートＢが、上記第１のアンテナポートであり、アンテナポートＡが上記第２のアンテナポートである。
【０１４２】
このように、上記第１の手法によれば、アンテナポートが指向性ビーム間で共通に使用され、アンテナポートの数が少なくなり得る。
【０１４３】
（ａ−４）さらに具体的な特徴
さらなる具体的な特徴として、上記複数の指向性ビームのうちの互いに隣接する任意の２つの指向性ビームの一方は、上記第１のアンテナポートを割り当てられる指向性ビームであってもよく、上記任意の２つの指向性ビームの他方は、上記第２のアンテナポートを割り当てられる指向性ビームであってもよい。このように、上記第１のアンテナポート及び上記第２のアンテナポートのみが用意され、これらのアンテナポートが交互に割り当てられてもよい。これにより、例えば、アンテナポートの数が２つになる。
【０１４４】
（ｂ）第２の手法
第２の手法では、第１の手法に加えて、さらなる特徴が加えられる。
【０１４５】
例えば、上記第１の指向性ビームは、水平方向及び垂直方向のうちの一方で、上記第２の指向性ビーム及び上記第３の指向性ビームと隣接する。また、上記複数の指向性ビームは、上記第１の指向性ビームが水平方向及び垂直方向のうちの他方で隣接する第４の指向性ビーム及び第５の指向性ビームを含む。上記第４の指向性ビーム及び上記第５の指向性ビームは、互いに隣接しない。
【０１４６】
とりわけ、第２の手法では、上記第４の指向性ビーム及び上記第５の指向性ビームは、上記第２のアンテナポートを割り当てられる指向性ビームである。
【０１４７】
さらに、例えば、上記複数の指向性ビームのうちの互いに隣接する任意の２つの指向性ビームの一方は、上記第１のアンテナポートを割り当てられる指向性ビームであってもよく、上記任意の２つの指向性ビームの他方は、上記第２のアンテナポートを割り当てられる指向性ビームであってもよい。以下、図１８を参照して、具体例を説明する。
【０１４８】
図１８は、第２の手法により各指向性ビームに割り当てられるアンテナポートの例を説明するための説明図である。図１８を参照すると、水平方向（horizontal  direction）及び垂直方向（vertical  direction）の指向性を有する６４（８Ｘ８）の指向性ビームが示されている。例えば、指向性ビーム３２１、３２３、３２５、３２７は、水平方向に並ぶ指向性ビームであり、指向性ビーム３２９、３２３、３３１、３３３は、垂直方向に並ぶ指向性ビームである。指向性ビーム３２１、３２５、３２９、３３１には、アンテナポートＡが割り当てられ、指向性ビーム３２３、３２７、３３３には、アンテナポートＢが割り当てられる。この例では、例えば、指向性ビーム３２３が上記第１の指向性ビームであり、指向性ビーム３２１、３２５、３２９、３３１が、それぞれ上記第２の指向性ビーム、上記第３の指向性ビーム、上記第４の指向性ビーム及び上記第５の指向性ビームである。また、アンテナポートＢが上記第１のアンテナポートであり、アンテナポートＡが上記第２のアンテナポートである。
【０１４９】
このように、上記第２の手法によれば、アンテナポートが指向性ビーム間で共通に使用され、アンテナポートの数が少なくなり得る。例えば、アンテナポートの数が２つになり得る。
【０１５０】
なお、実際には、指向性ビームの反射などを考慮して、３つ以上のアンテナポートが用意され得る。また、指向性ビームの反射があまりない環境については、２つのアンテナポートのみが用意され得る。
【０１５１】
（ｃ）第３の手法
例えば、上記複数の指向性ビームは、第１の数の連続する指向性ビームを含む。とりわけ、第３の手法では、上記記１の数の上記連続する指向性ビームには、上記第１の数の異なるアンテナポートがそれぞれ割り当てられる。例えば、上記第１の数の上記連続する指向性ビームは、水平方向及び垂直方向のうちの一方で連続する。ここで、「連続する指向性ビーム」とは、離散的な放射方向のセットの中の連続する放射方向を有する指向性ビームを意味する。
【０１５２】
例えば、連続する指向性ビームの中で、上記第１の数だけ離れた指向性ビームに、同一のアンテナポートが割り当てられる。
【０１５３】
（ｃ−１）具体例
図１９及び図２０を参照して、指向性ビーム及びアンテナポートの具体的な例を説明する。図１９は、基地局１００により形成される指向性ビームの例を説明するための説明図であり、図２０は、第３の手法により各指向性ビームに割り当てられるアンテナポートの例を説明するための説明図である。図１９を参照すると、この例では、基地局１００は、水平方向において連続する６つの指向性ビーム３３１、３３３、３３５、３３７、３３９、３４１を形成する。さらに、図２０を参照すると、この例では、ビーム０（指向性ビーム３３１）及びビーム３（指向性ビーム３３７）には、アンテナポートＡが割当てられる。また、ビーム１（指向性ビーム３３３）及びビーム４（指向性ビーム３３９）には、アンテナポートＢが割当てられる。また、ビーム２（指向性ビーム３３５）及びビーム５（指向性ビーム３４１）には、アンテナポートＣが割当てられる。このように、連続する指向性ビームの中で３つだけ離れた指向性ビームに、同一のアンテナポートが割り当てられる。また、３つの連続する指向性ビームには、３つの異なるアンテナポートが割り当てられる。例えば、ビーム０（指向性ビーム３３１）、ビーム１（指向性ビーム３３３）及びビーム２（指向性ビーム３３５）には、３つの異なるアンテポートが割り当てられる。また、ビーム１（指向性ビーム３３３）、ビーム２（指向性ビーム３３５）及びビーム３（指向性ビーム３３７）にも、３つの異なるアンテポートが割り当てられる。また、ビーム２（指向性ビーム３３５）、ビーム３（指向性ビーム３３７）及びビーム４（指向性ビーム３３９）にも、３つの異なるアンテポートが割り当てられる。また、ビーム３（指向性ビーム３３７）、ビーム４（指向性ビーム３３９）及びビーム５（指向性ビーム３４１）にも、３つの異なるアンテポートが割り当てられる。
【０１５４】
このように、上記第３の手法によれば、放射方向が近い所定数（上記第１の数）の指向性ビームに異なるアンテナポートが割り当てられるので、干渉が抑えられる。また、上記所定数だけ離れた指向性ビームに同一のアンテナポートが割り当てられるので、アンテナポートの数が少なくなり得る。その結果、オーバーヘッドが抑えられ得る。
【０１５５】
（ｃ−２）リファレンス信号を送信するためのリソースにおける各ビームによる送信
図２１を参照して、リファレンス信号を送信するためのリソースにおける各ビームによる送信の例を説明する。図２１は、第３の手法における各ビームによる送信の例を説明するための説明図である。図２１を参照すると、アンテナポートＡのためのＤＭＲＳリソース５１、アンテナポートＢのためのＤＭＲＳリソース５３、及び、アンテナポートＣのためのＤＭＲＳリソース５５が示されている。ＤＭＲＳリソース５１、ＤＭＲＳリソース５３及びＤＭＲＳリソース５５は、（時間周波数リソース及び符号系列の少なくとも一方で）互いに直交する。
【０１５６】
この例では、基地局１００は、アンテナポートＡを使用して、ＤＭＲＳリソース５１において、ビーム０（指向性ビーム３３１）及びビーム３（指向性ビーム３３７）によりＤＭＲＳを送信する。また、基地局１００は、アンテナポートＢを使用して、ＤＭＲＳリソース５３において、ビーム１（指向性ビーム３３３）及びビーム４（指向性ビーム３３９）によりＤＭＲＳを送信する。また、基地局１００は、アンテナポートＣを使用して、ＤＭＲＳリソース５５において、ビーム２（指向性ビーム３３５）及びビーム５（指向性ビーム３４１）によりＤＭＲＳを送信する。
【０１５７】
ＤＭＲＳリソース５１は、ビーム１、２、３、５についてブランクとなり、ＤＭＲＳリソース５３は、ビーム０、２、３、５についてブランクとなり、ＤＭＲＳリソース５５は、ビーム０、１、３、４についてブランクとなる。これにより、ＤＭＲＳへの干渉が回避される。
【０１５８】
（ｄ）第４の手法
第４の手法では、第３の手法に加えて、さらなる特徴が加えられる。
【０１５９】
例えば、上記複数の指向性ビームは、上記第１の数の上記連続する指向性ビームとは異なる、第２の数の連続する指向性ビームを含む。とりわけ、第２の手法では、上記第２の数の上記連続する指向性ビームには、上記第２の数の異なるアンテナポートをそれぞれ割り当てられる。例えば、上記第２の数の上記連続する指向性ビームは、水平方向及び垂直方向のうちの一方で連続する。
【０１６０】
（ｄ−１）具体例
図２２及び図２３を参照して、指向性ビーム及びアンテナポートの具体的な例を説明する。図２２は、基地局１００により形成される指向性ビームの例を説明するための説明図であり、図２３は、第４の手法により各指向性ビームに割り当てられるアンテナポートの例を説明するための説明図である。図２２を参照すると、この例では、基地局１００は、水平方向において連続する７つの指向性ビーム３５１、３５３、３５５、３５７、３５９、３６１、３６３を形成する。さらに、図２３を参照すると、この例では、ビーム０（指向性ビーム３５１）及びビーム３（指向性ビーム３５７）には、アンテナポートＡが割当てられる。また、ビーム１（指向性ビーム３５３）及びビーム４（指向性ビーム３５９）には、アンテナポートＢが割当てられる。また、ビーム２（指向性ビーム３５５）及びビーム５（指向性ビーム３６１）には、アンテナポートＣが割当てられる。また、ビーム６（指向性ビーム３６３）には、アンテナポートＤが割当てられる。この例では、ビーム０〜５のうちの、任意の３つの連続する指向性ビームには、３つの異なるアンテナポートが割り当てられる。一方、ビーム６は、ビーム４、５のみではなく、（例えば干渉に起因して）ビーム３とも干渉し得るので、ビーム３〜ビーム６には、４つの異なるアンテナポートが割り当てられる。
【０１６１】
このように、上記第４の手法によれば、基地局１００からの方向によって干渉の発生の可能性が異なる場合に、干渉の発生の可能性に応じて、割り当てるアンテナポートの数を変えることが可能になる。例えば、干渉の発生の可能性が低い方向については、より少ないアンテナポートが割り当てられ、干渉の発生の可能性が高い方向については、より多くのアンテナポートが割り当てられ得る。これにより、例えば、干渉が適切に抑えられ得る。
【０１６２】
（ｄ−２）リファレンス信号を送信するためのリソースにおける各ビームによる送信
図２４を参照して、リファレンス信号を送信するためのリソースにおける各ビームによる送信の例を説明する。図２４は、第４の手法における各ビームによる送信の例を説明するための説明図である。図２４を参照すると、アンテナポートＡのためのＤＭＲＳリソース５１、アンテナポートＢのためのＤＭＲＳリソース５３、アンテナポートＣのためのＤＭＲＳリソース５５、及びアンテナポートＤのためのＤＭＲＳリソース５７が示されている。ＤＭＲＳリソース５１、ＤＭＲＳリソース５３、ＤＭＲＳリソース５５及びＤＭＲＳリソース５７は、（時間周波数リソース及び符号系列の少なくとも一方で）互いに直交する。
【０１６３】
この例では、基地局１００は、アンテナポートＡを使用して、ＤＭＲＳリソース５１において、ビーム０（指向性ビーム３５１）及びビーム３（指向性ビーム３５７）によりＤＭＲＳを送信する。また、基地局１００は、アンテナポートＢを使用して、ＤＭＲＳリソース５３において、ビーム１（指向性ビーム３５３）及びビーム４（指向性ビーム３５９）によりＤＭＲＳを送信する。また、基地局１００は、アンテナポートＣを使用して、ＤＭＲＳリソース５５において、ビーム２（指向性ビーム３５５）及びビーム５（指向性ビーム３６１）によりＤＭＲＳを送信する。また、基地局１００は、アンテナポートＤを使用して、ＤＭＲＳリソース５７において、ビーム６（指向性ビーム３６３）によりＤＭＲＳを送信する。
【０１６４】
ＤＭＲＳリソース５１は、ビーム１、２、３、５、６についてブランクとなり、ＤＭＲＳリソース５３は、ビーム０、２、３、５、６についてブランクとなり、ＤＭＲＳリソース５５は、ビーム０、１、３、４、６についてブランクとなり、ＤＭＲＳリソース５７は、ビーム３、４、５についてブランクとなる。これにより、ＤＭＲＳへの干渉が回避される。
【０１６５】
なお、ビーム０、１、２（指向性ビーム３５１、３５３、３５５）とビーム６（指向性ビーム３６３）との間では、干渉が発生する可能性がかなり低い。そのため、基地局１００は、アンテナポートＡを使用して、ＤＭＲＳリソース５７において、ビーム０（指向性ビーム３５１）によりデータ信号を送信し得る。また、基地局１００は、アンテナポートＢを使用して、ＤＭＲＳリソース５７において、ビーム１（指向性ビーム３５３）によりデータ信号を送信し得る。また、基地局１００は、アンテナポートＣを使用して、ＤＭＲＳリソース５７において、ビーム２（指向性ビーム３５３）によりデータ信号を送信し得る。これにより、例えば、ビームごとにオーバーヘッドが異なるようになり、リファレンス信号の送信に関連するオーバーヘッドがさらに抑えられ得る。
【０１６６】
＜＜５．処理の流れ＞＞
続いて、図２５〜図２７を参照して、本開示の実施形態に係る処理の流れを説明する。
【０１６７】
（１）送受信処理
（ａ）第１の例
図２５は、本開示の実施形態に係る送受信処理の概略的な流れの第１の例を示すフローチャートである。
【０１６８】
基地局１００は、ＣＳＩ−ＲＳコンフィギュレーションを端末装置２００に通知する（Ｓ４０１）。また、基地局１００は、ＣＳＩ−ＲＳを送信する（Ｓ４０３）。
【０１６９】
端末装置２００は、上記ＣＳＩ−ＲＳに基づいて測定を実行する（Ｓ４０５）。そして、端末装置２００は、当該測定の結果に基づいて、適切な指向性ビームを選択する（Ｓ４０７）。そして、端末装置２００は、当該適切なビームを示す情報を報告情報として基地局１００に報告する（Ｓ４０９）。
【０１７０】
基地局１００は、上記適切な指向性ビームを、端末装置２００への信号を送信するための指向性ビームとして決定し、上記適切な指向性ビームについてのアンテナ関連情報を取得する（Ｓ４１１）。当該アンテナ関連情報は、上記適切な指向性ビームによる送信用に上記適切な指向性ビームに割り当てられたアンテナポートに関する情報である。例えば、当該アンテナ関連情報は、上記適切な指向性ビームに割り当てられた当該アンテナポートを示す情報（例えば、ポート番号）を含む。
【０１７１】
基地局１００は、上記アンテナ関連情報を端末装置２００に通知する（Ｓ４１３）。例えば、基地局１００は、端末装置２００へのシグナリング（例えば、ＲＲＣシグナリング）により、上記アンテナ関連情報を端末装置２００に通知する。あるいは、基地局１００は、端末装置２００へのＤＣＩの中で、上記アンテナ関連情報を端末装置２００に通知してもよい。
【０１７２】
さらに、基地局１００は、上記適切な指向性ビームにより、端末装置２００へのＤＭＲＳ及びデータ信号を送信する（Ｓ４１５）。
【０１７３】
端末装置２００は、上記アンテナ関連情報に基づいて受信処理を行う（Ｓ４１７）。
【０１７４】
なお、基地局１００は、他の指向性ビームに割り当てられたアンテナポートに関する他のアンテナ関連情報も、端末装置２００に通知してもよい。当該他の指向性ビームは、上記適切な指向性ビームと干渉する指向性ビームであってもよい。そして、端末装置２００は、上記他のアンテナ関連情報にさらに基づいて、受信処理を行ってもよい。
【０１７５】
（ｂ）第２の例
図２６は、本開示の実施形態に係る送受信処理の概略的な流れの第２の例を示すフローチャートである。
【０１７６】
ここで、図２６に示されるステップＳ４３５〜Ｓ４４３についての説明は、図２５に示されるステップＳ４０１〜Ｓ４０９についての説明と同じである。よって、ここでは、ステップＳ４３１、Ｓ４３３、Ｓ４４５〜Ｓ４４９のみを説明する。
【０１７７】
基地局１００は、あらかじめ定義されている複数の指向性ビームの各々についてのアンテナ関連情報を取得する（Ｓ４３１）。例えば、当該複数の指向性ビームに含まれる指向性ビームについてのアンテナ関連情報は、当該指向性アンテナによる送信用に当該指向性ビームに割り当てられたアンテナポートに関する情報である。例えば、当該アンテナ関連情報は、上記指向性ビームを示す情報（例えば、ＰＭＩ）と、上記指向性ビームに割り当てられた当該アンテナポートを示す情報（例えば、ポート番号）との組合せを含む。
【０１７８】
基地局１００は、上記複数の指向性ビームについての上記アンテナ関連情報を端末装置２００に通知する（Ｓ４３３）。例えば、基地局１００は、端末装置２００へのシグナリング（例えば、ＲＲＣシグナリング）により、上記複数の指向性ビームについての上記アンテナ関連情報を端末装置２００に通知する。あるいは、基地局１００は、システム情報（例えば、ＳＩＢ）の中で、上記アンテナ関連情報を端末装置２００に通知してもよい。
【０１７９】
基地局１００は、端末装置２００により選択された（Ｓ４４１）適切な指向性ビームを、端末装置２００への信号を送信するための指向性ビームとして決定し、上記適切な指向性ビームを示すビーム情報を端末装置２００に通知する（Ｓ４４５）。
【０１８０】
さらに、基地局１００は、上記適切な指向性ビームにより、端末装置２００へのＤＭＲＳ及びデータ信号を送信する（Ｓ４４７）。
【０１８１】
端末装置２００は、上記ビーム情報及び上記アンテナ関連情報に基づいて受信処理を行う（Ｓ４４９）。
【０１８２】
なお、基地局１００は、他の指向性ビームを示す他のビーム情報も端末装置２００に通知してもよい。当該他の指向性ビームは、上記適切な指向性ビームと干渉する指向性ビームであってもよい。そして、端末装置２００は、上記他のビーム情報にさらに基づいて、受信処理を行ってもよい。
【０１８３】
また、基地局１００は、上記ビーム情報を端末装置２００に通知しなくてもよい。その代わりに、端末装置２００は、自ら選択した上記適切な指向性ビームを、端末装置２００への信号を送信するための指向性ビームとみなしてもよい。
【０１８４】
（２）アンテナポート割当て処理
図２７は、本開示の実施形態に係るアンテナポート割当て処理の概略的な流れの一例を示すフローチャートである。
【０１８５】
基地局１００は、ＣＳＩ−ＲＳコンフィギュレーションを端末装置２００に通知する（Ｓ４６１）。また、基地局１００は、ＣＳＩ−ＲＳを送信する（Ｓ４６３）。
【０１８６】
端末装置２００は、上記ＣＳＩ−ＲＳに基づいて干渉の測定を実行する（Ｓ４６５）。例えば、端末装置２００は、ＣＳＩ−ＲＳに基づいて各指向性ビームの受信電力を測定する。そして、端末装置２００は、受信電力が大きい１つ以上の指向性ビーム（例えば、１つ以上の干渉ビーム）を示す情報を報告情報として基地局１００に報告する（Ｓ４６７）。
【０１８７】
基地局１００は、１つ以上の端末装置２００からの報告情報に基づいて、指向性ビームにアンテナポートを再度割り当てる（Ｓ４６９）。
【０１８８】
＜＜６．応用例＞＞
本開示に係る技術は、様々な製品へ応用可能である。例えば、基地局１００は、マクロｅＮＢ又はスモールｅＮＢなどのいずれかの種類のｅＮＢ（evolved  Node  B）として実現されてもよい。スモールｅＮＢは、ピコｅＮＢ、マイクロｅＮＢ又はホーム（フェムト）ｅＮＢなどの、マクロセルよりも小さいセルをカバーするｅＮＢであってよい。その代わりに、基地局１００は、ＮｏｄｅＢ又はＢＴＳ（Base  Transceiver  Station）などの他の種類の基地局として実現されてもよい。基地局１００は、無線通信を制御する本体（基地局装置ともいう）と、本体とは別の場所に配置される１つ以上のＲＲＨ（Remote  Radio  Head）とを含んでもよい。また、後述する様々な種類の端末が一時的に又は半永続的に基地局機能を実行することにより、基地局１００として動作してもよい。さらに、基地局１００の少なくとも一部の構成要素は、基地局装置又は基地局装置のためのモジュールにおいて実現されてもよい。
【０１８９】
また、例えば、端末装置２００は、スマートフォン、タブレットＰＣ（Personal  Computer）、ノートＰＣ、携帯型ゲーム端末、携帯型／ドングル型のモバイルルータ若しくはデジタルカメラなどのモバイル端末、又はカーナビゲーション装置などの車載端末として実現されてもよい。また、端末装置２００は、Ｍ２Ｍ（Machine  To  Machine）通信を行う端末（ＭＴＣ（Machine  Type  Communication）端末ともいう）として実現されてもよい。さらに、端末装置２００の少なくとも一部の構成要素は、これら端末に搭載されるモジュール（例えば、１つのダイで構成される集積回路モジュール）において実現されてもよい。
【０１９０】
＜６．１．基地局に関する応用例＞
（１）第１の応用例
図２８は、本開示に係る技術が適用され得るｅＮＢの概略的な構成の第１の例を示すブロック図である。ｅＮＢ８００は、１つ以上のアンテナ８１０、及び基地局装置８２０を有する。各アンテナ８１０及び基地局装置８２０は、ＲＦケーブルを介して互いに接続され得る。
【０１９１】
アンテナ８１０の各々は、単一の又は複数のアンテナ素子（例えば、ＭＩＭＯアンテナを構成する複数のアンテナ素子）を有し、基地局装置８２０による無線信号の送受信のために使用される。ｅＮＢ８００は、図２８に示したように複数のアンテナ８１０を有し、複数のアンテナ８１０は、例えばｅＮＢ８００が使用する複数の周波数帯域にそれぞれ対応してもよい。なお、図２８にはｅＮＢ８００が複数のアンテナ８１０を有する例を示したが、ｅＮＢ８００は単一のアンテナ８１０を有してもよい。
【０１９２】
基地局装置８２０は、コントローラ８２１、メモリ８２２、ネットワークインタフェース８２３及び無線通信インタフェース８２５を備える。
【０１９３】
コントローラ８２１は、例えばＣＰＵ又はＤＳＰであってよく、基地局装置８２０の上位レイヤの様々な機能を動作させる。例えば、コントローラ８２１は、無線通信インタフェース８２５により処理された信号内のデータからデータパケットを生成し、生成したパケットをネットワークインタフェース８２３を介して転送する。コントローラ８２１は、複数のベースバンドプロセッサからのデータをバンドリングすることによりバンドルドパケットを生成し、生成したバンドルドパケットを転送してもよい。また、コントローラ８２１は、無線リソース管理（Radio  Resource  Control）、無線ベアラ制御（Radio  Bearer  Control）、移動性管理（Mobility  Management）、流入制御（Admission  Control）又はスケジューリング（Scheduling）などの制御を実行する論理的な機能を有してもよい。また、当該制御は、周辺のｅＮＢ又はコアネットワークノードと連携して実行されてもよい。メモリ８２２は、ＲＡＭ及びＲＯＭを含み、コントローラ８２１により実行されるプログラム、及び様々な制御データ（例えば、端末リスト、送信電力データ及びスケジューリングデータなど）を記憶する。
【０１９４】
ネットワークインタフェース８２３は、基地局装置８２０をコアネットワーク８２４に接続するための通信インタフェースである。コントローラ８２１は、ネットワークインタフェース８２３を介して、コアネットワークノード又は他のｅＮＢと通信してもよい。その場合に、ｅＮＢ８００と、コアネットワークノード又は他のｅＮＢとは、論理的なインタフェース（例えば、Ｓ１インタフェース又はＸ２インタフェース）により互いに接続されてもよい。ネットワークインタフェース８２３は、有線通信インタフェースであってもよく、又は無線バックホールのための無線通信インタフェースであってもよい。ネットワークインタフェース８２３が無線通信インタフェースである場合、ネットワークインタフェース８２３は、無線通信インタフェース８２５により使用される周波数帯域よりもより高い周波数帯域を無線通信に使用してもよい。
【０１９５】
無線通信インタフェース８２５は、ＬＴＥ（Long  Term  Evolution）又はＬＴＥ−Ａｄｖａｎｃｅｄなどのいずれかのセルラー通信方式をサポートし、アンテナ８１０を介して、ｅＮＢ８００のセル内に位置する端末に無線接続を提供する。無線通信インタフェース８２５は、典型的には、ベースバンド（ＢＢ）プロセッサ８２６及びＲＦ回路８２７などを含み得る。ＢＢプロセッサ８２６は、例えば、符号化／復号、変調／復調及び多重化／逆多重化などを行なってよく、各レイヤ（例えば、Ｌ１、ＭＡＣ（Medium  Access  Control）、ＲＬＣ（Radio  Link  Control）及びＰＤＣＰ（Packet  Data  Convergence  Protocol））の様々な信号処理を実行する。ＢＢプロセッサ８２６は、コントローラ８２１の代わりに、上述した論理的な機能の一部又は全部を有してもよい。ＢＢプロセッサ８２６は、通信制御プログラムを記憶するメモリ、当該プログラムを実行するプロセッサ及び関連する回路を含むモジュールであってもよく、ＢＢプロセッサ８２６の機能は、上記プログラムのアップデートにより変更可能であってもよい。また、上記モジュールは、基地局装置８２０のスロットに挿入されるカード若しくはブレードであってもよく、又は上記カード若しくは上記ブレードに搭載されるチップであってもよい。一方、ＲＦ回路８２７は、ミキサ、フィルタ及びアンプなどを含んでもよく、アンテナ８１０を介して無線信号を送受信する。
【０１９６】
無線通信インタフェース８２５は、図２８に示したように複数のＢＢプロセッサ８２６を含み、複数のＢＢプロセッサ８２６は、例えばｅＮＢ８００が使用する複数の周波数帯域にそれぞれ対応してもよい。また、無線通信インタフェース８２５は、図２８に示したように複数のＲＦ回路８２７を含み、複数のＲＦ回路８２７は、例えば複数のアンテナ素子にそれぞれ対応してもよい。なお、図２８には無線通信インタフェース８２５が複数のＢＢプロセッサ８２６及び複数のＲＦ回路８２７を含む例を示したが、無線通信インタフェース８２５は単一のＢＢプロセッサ８２６又は単一のＲＦ回路８２７を含んでもよい。
【０１９７】
図２８に示したｅＮＢ８００において、図８を参照して説明した処理部１５０に含まれる１つ以上の構成要素（割当部１５１、情報取得部１５３及び／又は通知部１５５）は、無線通信インタフェース８２５において実装されてもよい。あるいは、これらの構成要素の少なくとも一部は、コントローラ８２１において実装されてもよい。一例として、ｅＮＢ８００は、無線通信インタフェース８２５の一部（例えば、ＢＢプロセッサ８２６）若しくは全部、及び／又はコントローラ８２１を含むモジュールを搭載し、当該モジュールにおいて上記１つ以上の構成要素が実装されてもよい。この場合に、上記モジュールは、プロセッサを上記１つ以上の構成要素として機能させるためのプログラム（換言すると、プロセッサに上記１つ以上の構成要素の動作を実行させるためのプログラム）を記憶し、当該プログラムを実行してもよい。別の例として、プロセッサを上記１つ以上の構成要素として機能させるためのプログラムがｅＮＢ８００にインストールされ、無線通信インタフェース８２５（例えば、ＢＢプロセッサ８２６）及び／又はコントローラ８２１が当該プログラムを実行してもよい。以上のように、上記１つ以上の構成要素を備える装置としてｅＮＢ８００、基地局装置８２０又は上記モジュールが提供されてもよく、プロセッサを上記１つ以上の構成要素として機能させるためのプログラムが提供されてもよい。また、上記プログラムを記録した読み取り可能な記録媒体が提供されてもよい。
【０１９８】
また、図２８に示したｅＮＢ８００において、図８を参照して説明した無線通信部１２０は、無線通信インタフェース８２５（例えば、ＲＦ回路８２７）において実装されてもよい。また、アンテナ部１１０は、アンテナ８１０において実装されてもよい。また、ネットワーク通信部１３０は、コントローラ８２１及び／又はネットワークインタフェース８２３において実装されてもよい。
【０１９９】
（２）第２の応用例
図２９は、本開示に係る技術が適用され得るｅＮＢの概略的な構成の第２の例を示すブロック図である。ｅＮＢ８３０は、１つ以上のアンテナ８４０、基地局装置８５０、及びＲＲＨ８６０を有する。各アンテナ８４０及びＲＲＨ８６０は、ＲＦケーブルを介して互いに接続され得る。また、基地局装置８５０及びＲＲＨ８６０は、光ファイバケーブルなどの高速回線で互いに接続され得る。
【０２００】
アンテナ８４０の各々は、単一の又は複数のアンテナ素子（例えば、ＭＩＭＯアンテナを構成する複数のアンテナ素子）を有し、ＲＲＨ８６０による無線信号の送受信のために使用される。ｅＮＢ８３０は、図２９に示したように複数のアンテナ８４０を有し、複数のアンテナ８４０は、例えばｅＮＢ８３０が使用する複数の周波数帯域にそれぞれ対応してもよい。なお、図２９にはｅＮＢ８３０が複数のアンテナ８４０を有する例を示したが、ｅＮＢ８３０は単一のアンテナ８４０を有してもよい。
【０２０１】
基地局装置８５０は、コントローラ８５１、メモリ８５２、ネットワークインタフェース８５３、無線通信インタフェース８５５及び接続インタフェース８５７を備える。コントローラ８５１、メモリ８５２及びネットワークインタフェース８５３は、図２８を参照して説明したコントローラ８２１、メモリ８２２及びネットワークインタフェース８２３と同様のものである。
【０２０２】
無線通信インタフェース８５５は、ＬＴＥ又はＬＴＥ−Ａｄｖａｎｃｅｄなどのいずれかのセルラー通信方式をサポートし、ＲＲＨ８６０及びアンテナ８４０を介して、ＲＲＨ８６０に対応するセクタ内に位置する端末に無線接続を提供する。無線通信インタフェース８５５は、典型的には、ＢＢプロセッサ８５６などを含み得る。ＢＢプロセッサ８５６は、接続インタフェース８５７を介してＲＲＨ８６０のＲＦ回路８６４と接続されることを除き、図２８を参照して説明したＢＢプロセッサ８２６と同様のものである。無線通信インタフェース８５５は、図２９に示したように複数のＢＢプロセッサ８５６を含み、複数のＢＢプロセッサ８５６は、例えばｅＮＢ８３０が使用する複数の周波数帯域にそれぞれ対応してもよい。なお、図２９には無線通信インタフェース８５５が複数のＢＢプロセッサ８５６を含む例を示したが、無線通信インタフェース８５５は単一のＢＢプロセッサ８５６を含んでもよい。
【０２０３】
接続インタフェース８５７は、基地局装置８５０（無線通信インタフェース８５５）をＲＲＨ８６０と接続するためのインタフェースである。接続インタフェース８５７は、基地局装置８５０（無線通信インタフェース８５５）とＲＲＨ８６０とを接続する上記高速回線での通信のための通信モジュールであってもよい。
【０２０４】
また、ＲＲＨ８６０は、接続インタフェース８６１及び無線通信インタフェース８６３を備える。
【０２０５】
接続インタフェース８６１は、ＲＲＨ８６０（無線通信インタフェース８６３）を基地局装置８５０と接続するためのインタフェースである。接続インタフェース８６１は、上記高速回線での通信のための通信モジュールであってもよい。
【０２０６】
無線通信インタフェース８６３は、アンテナ８４０を介して無線信号を送受信する。無線通信インタフェース８６３は、典型的には、ＲＦ回路８６４などを含み得る。ＲＦ回路８６４は、ミキサ、フィルタ及びアンプなどを含んでもよく、アンテナ８４０を介して無線信号を送受信する。無線通信インタフェース８６３は、図２９に示したように複数のＲＦ回路８６４を含み、複数のＲＦ回路８６４は、例えば複数のアンテナ素子にそれぞれ対応してもよい。なお、図２９には無線通信インタフェース８６３が複数のＲＦ回路８６４を含む例を示したが、無線通信インタフェース８６３は単一のＲＦ回路８６４を含んでもよい。
【０２０７】
図２９に示したｅＮＢ８３０において、図８を参照して説明した処理部１５０に含まれる１つ以上の構成要素（割当部１５１、情報取得部１５３及び／又は通知部１５５）は、無線通信インタフェース８５５及び／又は無線通信インタフェース８６３において実装されてもよい。あるいは、これらの構成要素の少なくとも一部は、コントローラ８５１において実装されてもよい。一例として、ｅＮＢ８３０は、無線通信インタフェース８５５の一部（例えば、ＢＢプロセッサ８５６）若しくは全部、及び／又はコントローラ８５１を含むモジュールを搭載し、当該モジュールにおいて上記１つ以上の構成要素が実装されてもよい。この場合に、上記モジュールは、プロセッサを上記１つ以上の構成要素として機能させるためのプログラム（換言すると、プロセッサに上記１つ以上の構成要素の動作を実行させるためのプログラム）を記憶し、当該プログラムを実行してもよい。別の例として、プロセッサを上記１つ以上の構成要素として機能させるためのプログラムがｅＮＢ８３０にインストールされ、無線通信インタフェース８５５（例えば、ＢＢプロセッサ８５６）及び／又はコントローラ８５１が当該プログラムを実行してもよい。以上のように、上記１つ以上の構成要素を備える装置としてｅＮＢ８３０、基地局装置８５０又は上記モジュールが提供されてもよく、プロセッサを上記１つ以上の構成要素として機能させるためのプログラムが提供されてもよい。また、上記プログラムを記録した読み取り可能な記録媒体が提供されてもよい。
【０２０８】
また、図２９に示したｅＮＢ８３０において、例えば、図８を参照して説明した無線通信部１２０は、無線通信インタフェース８６３（例えば、ＲＦ回路８６４）において実装されてもよい。また、アンテナ部１１０は、アンテナ８４０において実装されてもよい。また、ネットワーク通信部１３０は、コントローラ８５１及び／又はネットワークインタフェース８５３において実装されてもよい。
【０２０９】
＜６．２．端末装置に関する応用例＞
（１）第１の応用例
図３０は、本開示に係る技術が適用され得るスマートフォン９００の概略的な構成の一例を示すブロック図である。スマートフォン９００は、プロセッサ９０１、メモリ９０２、ストレージ９０３、外部接続インタフェース９０４、カメラ９０６、センサ９０７、マイクロフォン９０８、入力デバイス９０９、表示デバイス９１０、スピーカ９１１、無線通信インタフェース９１２、１つ以上のアンテナスイッチ９１５、１つ以上のアンテナ９１６、バス９１７、バッテリー９１８及び補助コントローラ９１９を備える。
【０２１０】
プロセッサ９０１は、例えばＣＰＵ又はＳｏＣ（System  on  Chip）であってよく、スマートフォン９００のアプリケーションレイヤ及びその他のレイヤの機能を制御する。メモリ９０２は、ＲＡＭ及びＲＯＭを含み、プロセッサ９０１により実行されるプログラム及びデータを記憶する。ストレージ９０３は、半導体メモリ又はハードディスクなどの記憶媒体を含み得る。外部接続インタフェース９０４は、メモリーカード又はＵＳＢ（Universal  Serial  Bus）デバイスなどの外付けデバイスをスマートフォン９００へ接続するためのインタフェースである。
【０２１１】
カメラ９０６は、例えば、ＣＣＤ（Charge  Coupled  Device）又はＣＭＯＳ（Complementary  Metal  Oxide  Semiconductor）などの撮像素子を有し、撮像画像を生成する。センサ９０７は、例えば、測位センサ、ジャイロセンサ、地磁気センサ及び加速度センサなどのセンサ群を含み得る。マイクロフォン９０８は、スマートフォン９００へ入力される音声を音声信号へ変換する。入力デバイス９０９は、例えば、表示デバイス９１０の画面上へのタッチを検出するタッチセンサ、キーパッド、キーボード、ボタン又はスイッチなどを含み、ユーザからの操作又は情報入力を受け付ける。表示デバイス９１０は、液晶ディスプレイ（ＬＣＤ）又は有機発光ダイオード（ＯＬＥＤ）ディスプレイなどの画面を有し、スマートフォン９００の出力画像を表示する。スピーカ９１１は、スマートフォン９００から出力される音声信号を音声に変換する。
【０２１２】
無線通信インタフェース９１２は、ＬＴＥ又はＬＴＥ−Ａｄｖａｎｃｅｄなどのいずれかのセルラー通信方式をサポートし、無線通信を実行する。無線通信インタフェース９１２は、典型的には、ＢＢプロセッサ９１３及びＲＦ回路９１４などを含み得る。ＢＢプロセッサ９１３は、例えば、符号化／復号、変調／復調及び多重化／逆多重化などを行なってよく、無線通信のための様々な信号処理を実行する。一方、ＲＦ回路９１４は、ミキサ、フィルタ及びアンプなどを含んでもよく、アンテナ９１６を介して無線信号を送受信する。無線通信インタフェース９１２は、ＢＢプロセッサ９１３及びＲＦ回路９１４を集積したワンチップのモジュールであってもよい。無線通信インタフェース９１２は、図３０に示したように複数のＢＢプロセッサ９１３及び複数のＲＦ回路９１４を含んでもよい。なお、図３０には無線通信インタフェース９１２が複数のＢＢプロセッサ９１３及び複数のＲＦ回路９１４を含む例を示したが、無線通信インタフェース９１２は単一のＢＢプロセッサ９１３又は単一のＲＦ回路９１４を含んでもよい。
【０２１３】
さらに、無線通信インタフェース９１２は、セルラー通信方式に加えて、近距離無線通信方式、近接無線通信方式又は無線ＬＡＮ（Local  Area  Network）方式などの他の種類の無線通信方式をサポートしてもよく、その場合に、無線通信方式ごとのＢＢプロセッサ９１３及びＲＦ回路９１４を含んでもよい。
【０２１４】
アンテナスイッチ９１５の各々は、無線通信インタフェース９１２に含まれる複数の回路（例えば、異なる無線通信方式のための回路）の間でアンテナ９１６の接続先を切り替える。
【０２１５】
アンテナ９１６の各々は、単一の又は複数のアンテナ素子（例えば、ＭＩＭＯアンテナを構成する複数のアンテナ素子）を有し、無線通信インタフェース９１２による無線信号の送受信のために使用される。スマートフォン９００は、図３０に示したように複数のアンテナ９１６を有してもよい。なお、図３０にはスマートフォン９００が複数のアンテナ９１６を有する例を示したが、スマートフォン９００は単一のアンテナ９１６を有してもよい。
【０２１６】
さらに、スマートフォン９００は、無線通信方式ごとにアンテナ９１６を備えてもよい。その場合に、アンテナスイッチ９１５は、スマートフォン９００の構成から省略されてもよい。
【０２１７】
バス９１７は、プロセッサ９０１、メモリ９０２、ストレージ９０３、外部接続インタフェース９０４、カメラ９０６、センサ９０７、マイクロフォン９０８、入力デバイス９０９、表示デバイス９１０、スピーカ９１１、無線通信インタフェース９１２及び補助コントローラ９１９を互いに接続する。バッテリー９１８は、図中に破線で部分的に示した給電ラインを介して、図３０に示したスマートフォン９００の各ブロックへ電力を供給する。補助コントローラ９１９は、例えば、スリープモードにおいて、スマートフォン９００の必要最低限の機能を動作させる。
【０２１８】
図３０に示したスマートフォン９００において、図９を参照して説明した情報取得部２４１及び／又は受信処理部２４３は、無線通信インタフェース９１２において実装されてもよい。あるいは、これらの構成要素の少なくとも一部は、プロセッサ９０１又は補助コントローラ９１９において実装されてもよい。一例として、スマートフォン９００は、無線通信インタフェース９１２の一部（例えば、ＢＢプロセッサ９１３）若しくは全部、プロセッサ９０１、及び／又は補助コントローラ９１９を含むモジュールを搭載し、当該モジュールにおいて情報取得部２４１及び／又は受信処理部２４３が実装されてもよい。この場合に、上記モジュールは、プロセッサを情報取得部２４１及び／又は受信処理部２４３として機能させるためのプログラム（換言すると、プロセッサに情報取得部２４１及び／又は受信処理部２４３の動作を実行させるためのプログラム）を記憶し、当該プログラムを実行してもよい。別の例として、プロセッサを情報取得部２４１及び／又は受信処理部２４３として機能させるためのプログラムがスマートフォン９００にインストールされ、無線通信インタフェース９１２（例えば、ＢＢプロセッサ９１３）、プロセッサ９０１、及び／又は補助コントローラ９１９が当該プログラムを実行してもよい。以上のように、情報取得部２４１及び／又は受信処理部２４３を備える装置としてスマートフォン９００又は上記モジュールが提供されてもよく、プロセッサを情報取得部２４１及び／又は受信処理部２４３として機能させるためのプログラムが提供されてもよい。また、上記プログラムを記録した読み取り可能な記録媒体が提供されてもよい。
【０２１９】
また、図３０に示したスマートフォン９００において、例えば、図９を参照して説明した無線通信部２２０は、無線通信インタフェース９１２（例えば、ＲＦ回路９１４）において実装されてもよい。また、アンテナ部２１０は、アンテナ９１６において実装されてもよい。
【０２２０】
（２）第２の応用例
図３１は、本開示に係る技術が適用され得るカーナビゲーション装置９２０の概略的な構成の一例を示すブロック図である。カーナビゲーション装置９２０は、プロセッサ９２１、メモリ９２２、ＧＰＳ（Global  Positioning  System）モジュール９２４、センサ９２５、データインタフェース９２６、コンテンツプレーヤ９２７、記憶媒体インタフェース９２８、入力デバイス９２９、表示デバイス９３０、スピーカ９３１、無線通信インタフェース９３３、１つ以上のアンテナスイッチ９３６、１つ以上のアンテナ９３７及びバッテリー９３８を備える。
【０２２１】
プロセッサ９２１は、例えばＣＰＵ又はＳｏＣであってよく、カーナビゲーション装置９２０のナビゲーション機能及びその他の機能を制御する。メモリ９２２は、ＲＡＭ及びＲＯＭを含み、プロセッサ９２１により実行されるプログラム及びデータを記憶する。
【０２２２】
ＧＰＳモジュール９２４は、ＧＰＳ衛星から受信されるＧＰＳ信号を用いて、カーナビゲーション装置９２０の位置（例えば、緯度、経度及び高度）を測定する。センサ９２５は、例えば、ジャイロセンサ、地磁気センサ及び気圧センサなどのセンサ群を含み得る。データインタフェース９２６は、例えば、図示しない端子を介して車載ネットワーク９４１に接続され、車速データなどの車両側で生成されるデータを取得する。
【０２２３】
コンテンツプレーヤ９２７は、記憶媒体インタフェース９２８に挿入される記憶媒体（例えば、ＣＤ又はＤＶＤ）に記憶されているコンテンツを再生する。入力デバイス９２９は、例えば、表示デバイス９３０の画面上へのタッチを検出するタッチセンサ、ボタン又はスイッチなどを含み、ユーザからの操作又は情報入力を受け付ける。表示デバイス９３０は、ＬＣＤ又はＯＬＥＤディスプレイなどの画面を有し、ナビゲーション機能又は再生されるコンテンツの画像を表示する。スピーカ９３１は、ナビゲーション機能又は再生されるコンテンツの音声を出力する。
【０２２４】
無線通信インタフェース９３３は、ＬＴＥ又はＬＴＥ−Ａｄｖａｎｃｅｄなどのいずれかのセルラー通信方式をサポートし、無線通信を実行する。無線通信インタフェース９３３は、典型的には、ＢＢプロセッサ９３４及びＲＦ回路９３５などを含み得る。ＢＢプロセッサ９３４は、例えば、符号化／復号、変調／復調及び多重化／逆多重化などを行なってよく、無線通信のための様々な信号処理を実行する。一方、ＲＦ回路９３５は、ミキサ、フィルタ及びアンプなどを含んでもよく、アンテナ９３７を介して無線信号を送受信する。無線通信インタフェース９３３は、ＢＢプロセッサ９３４及びＲＦ回路９３５を集積したワンチップのモジュールであってもよい。無線通信インタフェース９３３は、図３１に示したように複数のＢＢプロセッサ９３４及び複数のＲＦ回路９３５を含んでもよい。なお、図３１には無線通信インタフェース９３３が複数のＢＢプロセッサ９３４及び複数のＲＦ回路９３５を含む例を示したが、無線通信インタフェース９３３は単一のＢＢプロセッサ９３４又は単一のＲＦ回路９３５を含んでもよい。
【０２２５】
さらに、無線通信インタフェース９３３は、セルラー通信方式に加えて、近距離無線通信方式、近接無線通信方式又は無線ＬＡＮ方式などの他の種類の無線通信方式をサポートしてもよく、その場合に、無線通信方式ごとのＢＢプロセッサ９３４及びＲＦ回路９３５を含んでもよい。
【０２２６】
アンテナスイッチ９３６の各々は、無線通信インタフェース９３３に含まれる複数の回路（例えば、異なる無線通信方式のための回路）の間でアンテナ９３７の接続先を切り替える。
【０２２７】
アンテナ９３７の各々は、単一の又は複数のアンテナ素子（例えば、ＭＩＭＯアンテナを構成する複数のアンテナ素子）を有し、無線通信インタフェース９３３による無線信号の送受信のために使用される。カーナビゲーション装置９２０は、図３１に示したように複数のアンテナ９３７を有してもよい。なお、図３１にはカーナビゲーション装置９２０が複数のアンテナ９３７を有する例を示したが、カーナビゲーション装置９２０は単一のアンテナ９３７を有してもよい。
【０２２８】
さらに、カーナビゲーション装置９２０は、無線通信方式ごとにアンテナ９３７を備えてもよい。その場合に、アンテナスイッチ９３６は、カーナビゲーション装置９２０の構成から省略されてもよい。
【０２２９】
バッテリー９３８は、図中に破線で部分的に示した給電ラインを介して、図３１に示したカーナビゲーション装置９２０の各ブロックへ電力を供給する。また、バッテリー９３８は、車両側から給電される電力を蓄積する。
【０２３０】
図３１に示したカーナビゲーション装置９２０において、図９を参照して説明した情報取得部２４１及び／又は受信処理部２４３は、無線通信インタフェース９３３において実装されてもよい。あるいは、これらの構成要素の少なくとも一部は、プロセッサ９２１において実装されてもよい。一例として、カーナビゲーション装置９２０は、無線通信インタフェース９３３の一部（例えば、ＢＢプロセッサ９３４）若しくは全部及び／又はプロセッサ９２１を含むモジュールを搭載し、当該モジュールにおいて情報取得部２４１及び／又は受信処理部２４３が実装されてもよい。この場合に、上記モジュールは、プロセッサを情報取得部２４１及び／又は受信処理部２４３として機能させるためのプログラム（換言すると、プロセッサに情報取得部２４１及び／又は受信処理部２４３の動作を実行させるためのプログラム）を記憶し、当該プログラムを実行してもよい。別の例として、プロセッサを情報取得部２４１及び／又は受信処理部２４３として機能させるためのプログラムがカーナビゲーション装置９２０にインストールされ、無線通信インタフェース９３３（例えば、ＢＢプロセッサ９３４）及び／又はプロセッサ９２１が当該プログラムを実行してもよい。以上のように、情報取得部２４１及び／又は受信処理部２４３を備える装置としてカーナビゲーション装置９２０又は上記モジュールが提供されてもよく、プロセッサを情報取得部２４１及び／又は受信処理部２４３として機能させるためのプログラムが提供されてもよい。また、上記プログラムを記録した読み取り可能な記録媒体が提供されてもよい。
【０２３１】
また、図３１に示したカーナビゲーション装置９２０において、例えば、図９を参照して説明した無線通信部２２０は、無線通信インタフェース９３３（例えば、ＲＦ回路９３５）において実装されてもよい。また、アンテナ部２１０は、アンテナ９３７において実装されてもよい。
【０２３２】
また、本開示に係る技術は、上述したカーナビゲーション装置９２０の１つ以上のブロックと、車載ネットワーク９４１と、車両側モジュール９４２とを含む車載システム（又は車両）９４０として実現されてもよい。即ち、情報取得部２４１及び／又は受信処理部２４３を備える装置として車載システム（又は車両）９４０が提供されてもよい。車両側モジュール９４２は、車速、エンジン回転数又は故障情報などの車両側データを生成し、生成したデータを車載ネットワーク９４１へ出力する。
【０２３３】
＜＜７．まとめ＞＞
ここまで、図７〜図３１を参照して、本開示の実施形態に係る各装置及び各処理を説明した。
【０２３４】
本開示に係る実施形態によれば、基地局１００は、指向性ビームによる送信用に当該指向性ビームに割り当てられたアンテナポートに関するアンテナ関連情報を取得する情報取得部１５３と、上記アンテナ関連情報を端末装置２００に通知する通知部１５５と、を備える。
【０２３５】
本開示に係る実施形態によれば、端末装置２００は、指向性ビームによる送信用に当該指向性ビームに割り当てられたアンテナポートに関するアンテナ関連情報を取得する情報取得部２４１と、上記アンテナ関連情報に基づいて受信処理を行う受信処理部２４３と、を備える。
【０２３６】
これにより、例えば、ビームフォーミングが行われる場合にリファレンス信号の送信に関連するオーバーヘッドを抑えることが可能になる。
【０２３７】
以上、添付図面を参照しながら本開示の好適な実施形態を説明したが、本開示は係る例に限定されないことは言うまでもない。当業者であれば、特許請求の範囲に記載された範疇内において、各種の変更例又は修正例に想到し得ることは明らかであり、それらについても当然に本開示の技術的範囲に属するものと了解される。
【０２３８】
例えば、システムがＬＴＥ、ＬＴＥ−Ａｄｖａｎｃｅｄ、又はこれらに準ずる通信規格に準拠したシステムである例を説明したが、本開示は係る例に限定されない。例えば、システムは、他の通信規格に準拠したシステムであってもよい。
【０２３９】
また、本明細書の処理における処理ステップは、必ずしもフローチャート又はシーケンス図に記載された順序に沿って時系列に実行されなくてよい。例えば、処理における処理ステップは、フローチャート又はシーケンス図として記載した順序と異なる順序で実行されても、並列的に実行されてもよい。
【０２４０】
また、本明細書の装置（例えば、基地局、基地局装置若しくは基地局装置のためのモジュール、又は、端末装置若しくは端末装置のためのモジュール）に備えられるプロセッサ（例えば、ＣＰＵ、ＤＳＰなど）を上記装置の構成要素（例えば、割当部、情報取得部、通知部、又は受信処理部など）として機能させるためのコンピュータプログラム（換言すると、上記プロセッサに上記装置の構成要素の動作を実行させるためのコンピュータプログラム）も作成可能である。また、当該コンピュータプログラムを記録した記録媒体も提供されてもよい。また、上記コンピュータプログラムを記憶するメモリと、上記コンピュータプログラムを実行可能な１つ以上のプロセッサとを備える装置（例えば、基地局、基地局装置若しくは基地局装置のためのモジュール、又は、端末装置若しくは端末装置のためのモジュール）も提供されてもよい。また、上記装置の構成要素（例えば、割当部、情報取得部、通知部、又は受信処理部など）の動作を含む方法も、本開示に係る技術に含まれる。
【０２４１】
また、本明細書に記載された効果は、あくまで説明的又は例示的なものであって限定的ではない。つまり、本開示に係る技術は、上記効果とともに、又は上記効果に代えて、本明細書の記載から当業者には明らかな他の効果を奏しうる。
【０２４２】
なお、以下のような構成も本開示の技術的範囲に属する。
（１）
指向性ビームによる送信用に当該指向性ビームに割り当てられたアンテナポートに関するアンテナ関連情報を取得する取得部と、
前記アンテナ関連情報を端末装置に通知する通知部と、
を備える装置。
（２）
前記指向性ビームは、前記端末装置へ信号を送信するための指向性ビームである、前記（１）に記載の装置。
（３）
前記取得部は、他の指向性ビームによる送信用に当該他の指向性ビームに割り当てられたアンテナポートに関する他のアンテナ関連情報を取得し、
前記通知部は、前記他のアンテナ関連情報を前記端末装置にさらに通知する、
前記（２）に記載の装置。
（４）
前記取得部は、あらかじめ定義されている複数の指向性ビームの各々についての前記アンテナ関連情報を取得し、
前記通知部は、前記複数の指向性ビームの各々についての前記アンテナ関連情報を前記端末装置に通知する、前記（１）に記載の装置。
（５）
前記アンテナ関連情報は、前記アンテナポートを示す情報を含む、前記（１）〜（４）のいずれか１項に記載の装置。
（６）
前記アンテナポートを使用してリファレンス信号を送信するためのリソースは、あらかじめ定義されている、前記（１）〜（５）のいずれか１項に記載の装置。
（７）
前記アンテナ関連情報は、前記アンテナポートを使用してリファレンス信号を送信するためのリソースを示す情報を含む、前記（１）〜（５）のいずれか１項に記載の装置。
（８）
前記指向性ビームは、あらかじめ定義されている複数の指向性ビームに含まれる、前記（１）〜（７）のいずれか１項に記載の装置。
（９）
前記複数の指向性ビームは、同一のアンテナポートを割り当てられる２つ以上の指向性ビームを含む、前記（８）に記載の装置。
（１０）
前記２つ以上の指向性ビームは、互いに干渉しない指向性ビームである、前記（９）に記載の装置。
（１１）
前記複数の指向性ビームは、異なるアンテナポートを割り当てられる２つ以上の指向性ビームのセットを含む、前記（８）〜（１０）のいずれか１項に記載の装置。・
（１２）
前記２つ以上の指向性ビームの前記セットは、互いに干渉する指向性ビームのセットである、前記（１１）に記載の装置。
（１３）
前記複数の指向性ビームは、第１の指向性ビーム、第２の指向性ビーム及び第３の指向性ビームを含み、
前記第１の指向性ビームは、前記第２の指向性ビーム及び前記第３の指向性ビームと隣接し、
前記第２の指向性ビーム及び前記第３の指向性ビームは、互いに隣接せず、
前記第１の指向性ビームは、第１のアンテナポートを割り当てられる指向性ビームであり、
前記第２の指向性ビーム及び前記第３の指向性ビームは、前記第１のアンテナポートとは異なる第２のアンテナポートを割り当てられる指向性ビームである、
前記（８）〜（１２）のいずれか１項に記載の装置。
（１４）
前記第１の指向性ビームは、水平方向及び垂直方向のうちの一方で、前記第２の指向性ビーム及び前記第３の指向性ビームと隣接し、
前記複数の指向性ビームは、前記第１の指向性ビームが水平方向及び垂直方向のうちの他方で隣接する第４の指向性ビーム及び第５の指向性ビームを含み、
前記第４の指向性ビーム及び前記第５の指向性ビームは、互いに隣接せず、
前記第４の指向性ビーム及び前記第５の指向性ビームは、前記第２のアンテナポートを割り当てられる指向性ビームである、
前記（１３）に記載の装置。
（１５）
前記複数の指向性ビームは、第１の数の連続する指向性ビームを含み、
前記第１の数の前記連続する指向性ビームは、前記第１の数の異なるアンテナポートをそれぞれ割り当てられる指向性ビームである、
前記（８）〜（１２）のいずれか１項に記載の装置。
（１６）
前記複数の指向性ビームは、前記第１の数の前記連続する指向性ビームとは異なる、第２の数の連続する指向性ビームを含み、
前記第２の数の前記連続する指向性ビームは、前記第２の数の異なるアンテナポートをそれぞれ割り当てられる指向性ビームである、
前記（１５）に記載の装置。
（１７）
あらかじめ定義されている複数の指向性ビームの各々にアンテナポートを動的に又は準静的に割り当てる割当部、をさらに備える、前記（８）〜（１６）のいずれか１項に記載の装置。
（１８）
前記割当部は、端末装置により報告される干渉情報に基づいて、前記複数の指向性ビームの各々にアンテナポートを割り当てる、前記（１７）に記載の装置。
（１９）
前記アンテナポートは、１つ以上の物理的なアンテナ又はアンテナ素子に対応する仮想的なアンテナである、前記（１）〜（１８）のいずれか１項に記載の装置。
（２０）
指向性ビームによる送信用に当該指向性ビームに割り当てられたアンテナポートに関するアンテナ関連情報を取得する取得部と、
前記アンテナ関連情報に基づいて受信処理を行う受信処理部と、
を備える装置。
（２１）
前記リソースは、時間周波数リソースと符号系列との組合せである、前記（６）又は（７）に記載の装置。
（２２）
前記複数の指向性ビームのうちの互いに隣接する任意の２つの指向性ビームの一方は、前記第１のアンテナポートを割り当てられる指向性ビームであり、
前記任意の２つの指向性ビームの他方は、前記第２のアンテナポートを割り当てられる指向性ビームである、
前記（１３）又は（１４）に記載の装置。
（２３）
前記連続する指向性ビームは、水平方向及び垂直方向のうちの一方で連続する、前記（１５）又は（１６）に記載の装置。
（２４）
前記装置は、基地局、基地局のための基地局装置、又は当該基地局装置のためのモジュールである、前記（１）〜（１９）のいずれか１項に記載の装置。
（２５）
前記装置は、端末装置、又は端末装置のためのモジュールである、前記（２０）に記載の装置。
（２６）
プロセッサにより、
指向性ビームによる送信用に当該指向性ビームに割り当てられたアンテナポートに関するアンテナ関連情報を取得することと、
前記アンテナ関連情報を端末装置に通知することと、
を含む方法。
（２７）
指向性ビームによる送信用に当該指向性ビームに割り当てられたアンテナポートに関するアンテナ関連情報を取得することと、
前記アンテナ関連情報を端末装置に通知することと、
をプロセッサに実行させるためのプログラム。
（２８）
指向性ビームによる送信用に当該指向性ビームに割り当てられたアンテナポートに関するアンテナ関連情報を取得することと、
前記アンテナ関連情報を端末装置に通知することと、
をプロセッサに実行させるためのプログラムを記録した読み取り可能な記録媒体。
（２９）
プロセッサにより、
指向性ビームによる送信用に当該指向性ビームに割り当てられたアンテナポートに関するアンテナ関連情報を取得することと、
前記アンテナ関連情報に基づいて受信処理を行うことと、
を含む方法。
（３０）
指向性ビームによる送信用に当該指向性ビームに割り当てられたアンテナポートに関するアンテナ関連情報を取得することと、
前記アンテナ関連情報に基づいて受信処理を行うことと、
をプロセッサに実行させるためのプログラム。
（３１）
指向性ビームによる送信用に当該指向性ビームに割り当てられたアンテナポートに関するアンテナ関連情報を取得することと、
前記アンテナ関連情報に基づいて受信処理を行うことと、
をプロセッサに実行させるためのプログラムを記録した読み取り可能な記録媒体。
【符号の説明】
【０２４３】
１        システム
１００    基地局
１０１    セル
１５１    割当部
１５３    情報取得部
１５５    通知部
２００    基地局
２４１    情報取得部
２４３    受信処理部
【図１】
2016152315.tif 000005
【図２】
2016152315.tif 000006
【図３】
2016152315.tif 000007
【図４】
2016152315.tif 000008
【図５】
2016152315.tif 000009
【図６】
2016152315.tif 000010
【図７】
2016152315.tif 000011
【図８】
2016152315.tif 000012
【図９】
2016152315.tif 000013
【図１０】
2016152315.tif 000014
【図１１】
2016152315.tif 000015
【図１２】
2016152315.tif 000016
【図１３】
2016152315.tif 000017
【図１４】
2016152315.tif 000018
【図１５】
2016152315.tif 000019
【図１６】
2016152315.tif 000020
【図１７】
2016152315.tif 000021
【図１８】
2016152315.tif 000022
【図１９】
2016152315.tif 000023
【図２０】
2016152315.tif 000024
【図２１】
2016152315.tif 000025
【図２２】
2016152315.tif 000026
【図２３】
2016152315.tif 000027
【図２４】
2016152315.tif 000028
【図２５】
2016152315.tif 000029
【図２６】
2016152315.tif 000030
【図２７】
2016152315.tif 000031
【図２８】
2016152315.tif 000032
【図２９】
2016152315.tif 000033
【図３０】
2016152315.tif 000034
【図３１】
2016152315.tif 000035
【国際調査報告】
2016152315.tif 000036
2016152315.tif 000037
2016152315.tif 000038